(57)【要約】  通信装置は、動作時において、アウェイク状態にある通信相手装置との間でウェイクアップ無線（ＷＵＲ）モードセットアップフレームを交換する主接続無線（ＰＣＲ）回路と、動作時において、通信相手装置からウェイクアップフレームを受信するウェイクアップ無線（ＷＵＲ）回路と、を備えており、ＷＵＲモード以外のモードでＷＵＲモードセットアップフレームの交換が正常に完了すると、通信装置は、ＷＵＲ回路がＷＵＲフレームを受信する状態にあるＷＵＲモードを開始し、該ＷＵＲモードにあるＷＵＲ回路がウェイクアップフレームを受信すると、ＰＣＲ回路は、現在の状態をアウェイク状態に変更する。【選択図】図１
2020532889.tif 000002
【特許請求の範囲】
【請求項１】
通信装置であって、
動作時において、アウェイク状態にある通信相手装置との間でウェイクアップ無線（ＷＵＲ）モードセットアップフレームを交換する主接続無線（ＰＣＲ）回路と、
動作時において、前記通信相手装置からウェイクアップフレームを受信するウェイクアップ無線（ＷＵＲ）回路と、
を備えており、
ＷＵＲモード以外のモードで前記ＷＵＲモードセットアップフレームの交換が正常に完了すると、前記通信装置が、前記ＷＵＲ回路がＷＵＲフレームを受信する状態にあるＷＵＲモードを開始し、該ＷＵＲモードにある前記ＷＵＲ回路が前記ウェイクアップフレームを受信すると、前記ＰＣＲ回路が現在の状態をアウェイク状態に変更する、
前記通信装置。
【請求項２】
前記ＷＵＲモードで前記ＷＵＲモードセットアップフレームの交換が正常に完了すると、前記ＰＣＲ回路が、動作時において、現在のＷＵＲパラメータを、前記ＷＵＲモードセットアップフレーム内に含まれるＷＵＲパラメータで、更新する、
請求項１に記載の通信装置。
【請求項３】
前記ＰＣＲ回路が、動作時において、前記通信相手装置との間で、ＷＵＲネゴシエーション手続きを始めることによってウェイクアップ動作パラメータを特定する、あるいは、ＷＵＲモード開始手続きを始めることによって前記ＷＵＲモードを開始する、
請求項１に記載の通信装置。
【請求項４】
前記ＰＣＲ回路が、動作時において、前記通信相手装置との間でＷＵＲネゴシエーション及びＷＵＲモード開始の統合された手続きを始めることによって、ウェイクアップ動作パラメータを特定して前記ＷＵＲモードを開始する、
請求項１に記載の通信装置。
【請求項５】
ウェイクアップ動作パラメータの１つが、ＷＵＲビーコン間隔、ＷＵＲスリープ間隔、あるいは、データレートフィードバック要求である、
請求項１に記載の通信装置。
【請求項６】
ウェイクアップ動作パラメータには、共通ウェイクアップ動作パラメータのうちの少なくとも１つと、ユーザ固有ウェイクアップ動作パラメータのうちの少なくとも１つと、が含まれている、
請求項１に記載の通信装置。
【請求項７】
前記ＰＣＲ回路が、動作時において、前記通信相手装置との間で同期手続き又はアソシエーション手続きを始めることによって、前記共通ウェイクアップ動作パラメータを特定する、
請求項６に記載の通信装置。
【請求項８】
前記ＰＣＲ回路が、動作時において、前記通信相手装置との間で、ＷＵＲネゴシエーション手続きを始めることによって前記ユーザ固有ウェイクアップ動作パラメータの少なくとも１つを特定して、ＷＵＲモード開始手続きを始めることによって前記ＷＵＲモードを開始する、
請求項６に記載の通信装置。
【請求項９】
前記ＰＣＲ回路が、動作時において、ＷＵＲネゴシエーション及びＷＵＲモード開始の統合された手続きを始めることによって、前記ユーザ固有ウェイクアップ動作パラメータの少なくとも１つを特定して、前記通信装置が前記ＷＵＲモードを開始するように制御する、
請求項６に記載の通信装置。
【請求項１０】
前記ＰＣＲ回路が、動作時において、前記通信相手装置との間で、アソシエーション手続きを始めることによって前記ユーザ固有ウェイクアップ動作パラメータの少なくとも１つを特定して、ＷＵＲモード開始手続きを始めることによって前記ＷＵＲモードを開始する、
請求項６に記載の通信装置。
【請求項１１】
前記ＰＣＲ回路が、動作時において、前記通信相手装置との間でアソシエーション手続きを始めることによって、前記ユーザ固有ウェイクアップ動作パラメータの少なくとも１つを特定して前記ＷＵＲモードを開始する、
請求項６に記載の通信装置。
【請求項１２】
前記ＰＣＲ回路が、動作時において、前記通信相手装置からビーコンフレームを受信することによって、前記共通ウェイクアップ動作パラメータの少なくとも１つを更新する、
請求項６に記載の通信装置。
【請求項１３】
前記ＰＣＲ回路が、動作時において、前記通信相手装置との間でＷＵＲネゴシエーション手続きを始めることによって、前記ユーザ固有ウェイクアップ動作パラメータの少なくとも１つを更新する、
請求項６に記載の通信装置。
【請求項１４】
通信方法であって、
主接続無線（ＰＣＲ）回路によって、アウェイク状態にある通信相手装置との間で、ウェイクアップ無線（ＷＵＲ）モードセットアップフレームを交換するステップと、
ウェイクアップ無線（ＷＵＲ）回路によって、前記通信相手装置からウェイクアップフレームを受信するステップと、
を備えており、
ＷＵＲモード以外のモードで前記ＷＵＲモードセットアップフレームの交換が正常に完了すると、通信装置が、前記ＷＵＲ回路がＷＵＲフレームを受信する状態にあるＷＵＲモードを開始し、該ＷＵＲモードにある前記ＷＵＲ回路が前記ウェイクアップフレームを受信すると、前記ＰＣＲ回路が現在の状態をアウェイク状態に変更する、
前記通信方法。
【発明の詳細な説明】
【技術分野】
【０００１】
本開示は、概して、通信装置及び通信方法に関する。
【背景技術】
【０００２】
ＩＥＥＥ（Institute of Electrical and Electronics Engineers）８０２.１１ワーキンググループは、物理（ＰＨＹ）層仕様と、ウェイクアップ無線（ＷＵＲ）装置の動作を可能にするメディアアクセス制御（ＭＡＣ）層仕様についての修正と、を規定することに取り組んでいる。ＷＵＲ装置は、例えばＩＥＥＥ８０２．１１ａ／ｂ／ｇ／ｎ／ａｃ／ａｘ無線装置などの主接続無線（ＰＣＲ）装置に対するコンパニオン無線装置である。無線通信機器に含まれるＰＣＲ装置はユーザデータの送受信に使用されるが、その機器に含まれるＷＵＲ装置はユーザデータの送受信には使用されない。ＷＵＲモードで動作する無線通信機器の場合、その機器に含まれるＰＣＲ装置がオフになると、その機器に含まれるＷＵＲ装置はオンになるか、あるいは、周期的にオン又はオフになる。その機器のＷＵＲ装置が、その機器のＰＣＲ装置が受信すべきトラフィックがあることを通知するウェイクアップ信号を受信すると、その機器はＰＣＲ装置をオンにする。
【先行技術文献】
【非特許文献】
【０００３】
【非特許文献１】IEEE 802.11-17/0379r4, SFD MAC proposal, May 2017
【非特許文献２】IEEE 802.11-17/0342r4, WUR Negotiation and Acknowledgement Procedure Follow up, March 2017
【非特許文献３】IEEE 802.11-17/0071r0, High Level MAC Concept for WUR, January 2017
【非特許文献４】IEEE 802.11-17/0070r0, Initial Negotiation for WUR, January 2017
【非特許文献５】IEEE 802.11-17/0575r3, Specification Framework for TGba, August 2017
【発明の概要】
【０００４】
無線通信機器が如何にしてＷＵＲモード動作を効率的に行え得るかについての研究が進行中である。
【０００５】
本開示の非制限的且つ代表的な一実施形態により、ＷＵＲモード動作を効率的に実施することが容易になる。
【０００６】
概括的な一態様において、ここに開示する技術は、通信装置であって、動作時において、アウェイク状態にある通信相手装置との間でウェイクアップ無線（ＷＵＲ）モードセットアップフレームを交換する主接続無線（ＰＣＲ）回路と、動作時において、通信相手装置からウェイクアップフレームを受信するウェイクアップ無線（ＷＵＲ）回路と、を備えており、ＷＵＲモード以外のモードでＷＵＲモードセットアップフレームの交換が正常に完了すると、通信装置が、ＷＵＲ回路がＷＵＲフレームを受信する状態にあるＷＵＲモードを開始し、該ＷＵＲモードにあるＷＵＲ回路がウェイクアップフレームを受信すると、ＰＣＲ回路が現在の状態をアウェイク状態に変更する、通信装置、を特徴として備えている。
【０００７】
概括的な又は具体的な実施形態が、システム、方法、集積回路、コンピュータプログラム、記憶媒体、あるいは、それらの任意の選択的な組み合わせとして実施できることに留意されたい。
【０００８】
本開示において説明される通信装置及び通信方法を利用することによって、無線通信機器はＷＵＲモード動作を効率的に実施できる。
【０００９】
ここに開示する実施形態の更なる恩恵及び利点は本明細書及び図面から明らかになるであろう。これらの恩恵及び／又は利点は、本明細書及び図面の種々の実施形態及び特徴によって、個々に得られることもあるが、そのような１つ又は複数の恩恵及び／又は利点を得るために、本明細書及び図面の種々の実施形態及び特徴を必ずしも全て提供する必要はない。
【図面の簡単な説明】
【００１０】
【図１】無線ネットワークの一例を例示する図
【図２】本開示の第１の実施形態に従うＷＵＲモード動作に関するＭＡＣ手続きの一例を例示する図
【図３】本開示の第２の実施形態に従うＷＵＲモード動作に関するＭＡＣ手続きの一例を例示する図
【図４】本開示の第１の態様に従う、無線通信装置についてのＷＵＲモード動作に関連する状態遷移を例示する図
【図５】本開示の第３の実施形態に従うＷＵＲモード動作に関するＭＡＣ手続きの一例を例示する図
【図６】本開示の第４の実施形態に従うＷＵＲモード動作に関するＭＡＣ手続きの一例を例示する図
【図７】本開示の第５の実施形態に従うＷＵＲモード動作に関するＭＡＣ手続きの一例を例示する図
【図８】本開示の第６の実施形態に従うＷＵＲモード動作に関するＭＡＣ手続きの一例を例示する図
【図９】本開示の第２の態様に従う、無線通信装置についてのＷＵＲモード動作に関連する状態遷移を例示する図
【図１０】本開示に従うウェイクアップフレームのフォーマットの一例を例示する図
【図１１】本開示に従うＷＵＲアクションフレームのフォーマットの一例を例示する図
【図１２】本開示の第１の態様に従うＷＵＲモードエレメントのフォーマットの一例を例示する図
【図１３】本開示に従うアクションタイプフィールドのフォーマットの一例を例示する図
【図１４】本開示の第２の態様に従うＷＵＲモードエレメントのフォーマットの一例を例示する図
【図１５】本開示の第２の態様に従うＷＵＲ動作エレメントのフォーマットの一例を例示する図
【図１６Ａ】本開示に従うＷＵＲの一例の簡潔なブロック図
【図１６Ｂ】本開示に従うＷＵＲの一例の詳細なブロック図
【図１７Ａ】本開示に従うＰＣＲの一例の簡潔なブロック図
【図１７Ｂ】本開示に従うＰＣＲの一例の詳細なブロック図
【図１８】本開示に従う無線通信装置についての単純化されたＷＵＲモード動作に関連する状態遷移を例示する図
【図１９Ａ】本開示に従う双方向セットアップ手続きの第１の例を例示する図
【図１９Ｂ】本開示に従う双方向セットアップ手続きの第２の例を例示する図
【図２０Ａ】本開示に従う一方向ティアダウン手続きの第１の例を例示する図
【図２０Ｂ】本開示に従う一方向ティアダウン手続きの第２の例を例示する図
【図２１Ａ】本開示に従う一方向セットアップ手続きの第１の例を例示する図
【図２１Ｂ】本開示に従う一方向セットアップ手続きの第２の例を例示する図
【図２２】本開示に従う一方向更新手続きの一例を例示する図
【図２３】本開示に従う双方向更新手続きの一例を例示する図
【図２４】本開示に従うＷＵＲアクションフレームのＷＵＲアクションフィールドのフォーマットの別の一例を例示する図
【図２５】本開示に従うＷＵＲモードエレメントのアクションタイプフィールドのフォーマットの別の一例を例示する図
【図２６】本開示に従うＷＵＲモードエレメントのＷＵＲモード応答状態フィールドのフォーマットの別の一例を例示する図
【図２７】本開示に従うＷＵＲの別の一例の詳細なブロック図
【図２８】本開示に従うＰＣＲの別の一例の詳細なブロック図
【発明を実施するための形態】
【００１１】
本開示は、以下の図面及び実施形態によって、より良く理解できる。ここで説明する実施形態は、本質的に単なる代表例であり、本開示の実施可能な用途及び使用の一部を説明するためのものであり、従って、決して、本明細書に明示的に記載されていない他の実施形態を排除して本開示を限定するものであると解釈されるべきではない。
【００１２】
如何なる無線通信システムにおいても、トラフィックニーズ（traffic needs）、機器機能、電源タイプ及びその他の点で相異なる多種多様な機器が、その無線ネットワークの一部を構成しているであろう。一部のクラスの機器は、帯域幅の要件が比較的に低く、また、ＱｏＳ（Quality of Service：サービスの品質）の要件も比較的にあまり厳しくはないが、消費電力については比較的に多く懸念されることがある（例えば、モバイルフォン）。別のクラスの機器では、帯域幅の要件が低く、デューティサイクルも非常に低いが、バッテリが非常に小さいが故に、あるいは、非常に長い寿命を期待するが故に、電力消費量の影響を非常に受け易いことがある（例えば、リモートセンシング用のセンサ）。
【００１３】
多くの無線通信システムには１つ又は複数の中央コントローラが存在するであろうが、それらの中央コントローラは、無線ネットワークのカバレッジエリア、無線周波数チャンネル、デバイスアドミッションポリシ（device admission policy）、及び、他の近隣の無線ネットワークとの調整などを決定し、通常、バックエンドのインフラストラクチャネットワークへのゲートウェイとしても機能する。中央コントローラの例としては、セルラ無線ネットワークにおける基地局又はｅＮＢ、あるいは、ＷＬＡＮ（Wireless Local Area Network：ワイヤレスローカルエリアネットワーク）におけるＡＰ（Access Point：アクセスポイント）が挙げられる。
【００１４】
本開示において説明する技術は、多くの無線通信システムに適用できるが、例示のために、この開示における残りの記載部分では、ＩＥＥＥ８０２.１１に基づくＷＬＡＮシステムの観点から、その関連用語を用いて、説明する。これは、別の代わりの無線通信システムを排除して本開示を限定するものとして解釈されるべきではない。ＩＥＥＥ ８０２.１１に基づくＷＬＡＮでは、大半のネットワークがインフラストラクチャモードで動作する、即ち、ネットワーク内の全て又は殆どのトラフィックがＡＰを通過する必要がある。従って、ＷＬＡＮへの参加を望む如何なるＳＴＡ（ステーション：局）も、最初に、アソシエーション（association）及び認証（authentication）と呼ばれるプロセスを介して、ＡＰとの間でネットワークメンバーシップのネゴシエーションを行う必要がある。
【００１５】
図１は、ＡＰ１１０と複数のＳＴＡとを含む例である無線ネットワーク１００を例示している。ＡＰ１１０は、ＰＣＲ装置（以下、単に「ＰＣＲ」と述べる）１１２を備えている。ＳＴＡ１３０は、帯域幅の要件が比較的に低く、また、ＱｏＳの要件も比較的にあまり厳しくはないが、消費電力については比較的に多く懸念されることがある機器のクラスを表している。ＳＴＡ１４０は、帯域幅の要件が低いが、電力消費量の影響を非常に受け易いことがある機器の別のクラスを表している。エネルギ効率を最大にするために、ＳＴＡ１３０には、ＰＣＲ１３２に加えてＷＵＲ装置１３４（以下、単に「ＷＵＲ」と述べる）が装備されており、ＳＴＡ１４０には、ＰＣＲ１４２に加えてＷＵＲ１４４が装備されている。以下、ＳＴＡ１３０とＳＴＡ１４０の両方をＷＵＲ ＳＴＡと呼ぶことにする。
【００１６】
本開示に従えば、ＷＵＲ ＳＴＡは、２つのパワーマネジメントモード、即ち、アクティブモードとＰＳ（パワーセーブ）モードのいずれでも動作できる。これらのＳＴＡは、ＰＳモードで動作している場合、アウェイク状態（awake state）とドーズ状態（doze state）のいずれかにある。ＰＳモードで動作するＳＴＡについて、それがアウェイク状態にある場合、そのＰＣＲはアクティブであり、従って、ＤＬ（ダウンリンク）トラフィックを受信でき、あるいは、ＵＬ（アップリンク）トラフィックを送信でき、それがドーズ状態である場合、そのＰＣＲはアクティブではなく、従って、ＵＬトラフィックを送信することもＤＬトラフィックを受信することもできない。ＳＴＡは、アクティブモードで動作している場合、常にアウェイク状態にある。
【００１７】
本開示に従えば、アクティブモード又はＰＳモードで動作しているＷＵＲ ＳＴＡは、ＷＵＲモードでも動作できる。このＳＴＡは、ＰＳモードとＷＵＲモードの両方で動作している場合、ＷＵＲアウェイク状態又はＷＵＲドーズ状態のいずれかの状態にある。ＰＳモードとＷＵＲモードの両方で動作するＳＴＡについて、それがＷＵＲアウェイク状態にある場合、そのＰＣＲはアクティブであり、そのＷＵＲはアクティブではないことがあり、それがＷＵＲドーズ状態にある場合、そのＰＣＲはアクティブではなく、そのＷＵＲ受信機はＡＰ１１０とＳＴＡとの間で合意されたデューティサイクルスケジュール（duty cycle schedule）に従う。ＳＴＡは、アクティブモードとＷＵＲモードの両方で動作している場合、常に、ＷＵＲアウェイク状態にある。
【００１８】
本開示に従えば、デューティサイクルスケジュールは、３つのパラメータ、即ち、デューティサイクルスケジュールについての開始点、デューティサイクルの周期、及び、各デューティサイクル周期におけるオンデュレーションによって表される。デューティサイクルの周期はＷＵＲ基本単位の倍数である。各デューティサイクル周期内におけるオンデュレーションは、最小のウェイクアップデュレーションよりも長いか、あるいは、それに等しい。注意すべき点として、ＰＳモードとＷＵＲモードの両方で動作してドーズ状態にあるＳＴＡについて、各デューティサイクル周期内のオンデュレーションがデューティサイクルの周期に等しい場合、そのＷＵＲ受信機は常にオンである。
【００１９】
本開示に従えば、ＷＵＲ基本単位は、ＩＥＥＥ規格８０２.１１ＴＭ-２０１６に規定された時間単位（１０２４ｕｓ）の倍数とすることができる。その結果として、ＷＵＲ ＳＴＡの実施を簡素化できる。
【００２０】
本開示に従えば、ＡＰ１１０は、ＰＳモードとＷＵＲモードの両方で動作するＳＴＡの状態を把握すべきである。換言すれば、ＡＰ１１０は、ＰＳモードとＷＵＲモードの両方で動作するＳＴＡがＷＵＲアウェイク状態にあるか、あるいは、ＷＵＲドーズ状態にあるか、を記録する。
【００２１】
本開示に従えば、ＷＵＲドーズ状態にあるＳＴＡついてのＤＬデータトラフィックが到来しようとしている場合、ＡＰ１１０は、そのＳＴＡについてのＤＬデータトラフィックをバッファリングして、次に、そのＳＴＡにウェイクアップフレームを送信して、そのＳＴＡについてのＤＬデータトラフィックがバッファリングされていることを通知する。
【００２２】
＜第１の実施形態＞
図２は、本開示の第１の実施形態に従って、ＷＵＲ ＳＴＡ（例えば、１３０）とＡＰ１１０とによって行われる、ＷＵＲモード動作に関するＭＡＣ手続きを例示している。ＳＴＡがアソシエーション手続きを介してＡＰ１１０にアソシエーションされた後にＰＳモードで動作していると仮定する。ＳＴＡは、ＷＵＲモードを開始する前に、ＡＰ１１０との間でＷＵＲネゴシエーション手続き２１０を始めて、このＳＴＡとＡＰ１１０とによって行われるＷＵＲモード動作を規定するウェイクアップ動作パラメータ（wake-up operating parameters）のネゴシエーションを行う。ウェイクアップ動作パラメータの例には、
・ＳＴＡがウェイクアップフレームを受信できるＷＵＲチャンネル、
・ユニキャストウェイクアップフレーム内で使用されるＳＴＡ識別子、
・ＳＴＡのＰＣＲをオンにするために必要な時間、
・ＳＴＡのＷＵＲ受信機のデューティサイクルスケジュール、
・ＷＵＲ基本単位、
・最小のウェイクアップデュレーション、
・ＷＵＲスリープ間隔、
・データレートフィードバック要求、及び、
・ＷＵＲビーコン間隔、
などが含まれる。ＷＵＲネゴシエーション手続き２１０の期間において、ＳＴＡが要求ウェイクアップ動作パラメータを含むＷＵＲモード要求フレーム（WUR Mode Request frame）をＡＰ１１０に送信し、次に、ＡＰ１１０が合意ウェイクアップ動作パラメータを含むＷＵＲモード応答フレームで応答する。
【００２３】
ウェイクアップ動作パラメータのネゴシエーションが完了すると、ＳＴＡは、ＷＵＲモードを開始するために、ＡＰ１１０との間でＷＵＲモード開始手続き（WUR mode entry procedure）２２０を始めてもよい。このＷＵＲモード開始手続き２２０の期間において、ＳＴＡは、ＷＵＲモードの開始要求を含むＷＵＲモード要求フレーム（WUR Mode Request frame）をＡＰ１１０に送信し、次に、ＡＰ１１０が、ＳＴＡのＷＵＲモード開始要求を受諾するか、あるいは、拒絶するかを示すＷＵＲモード応答フレームで応答する。ＳＴＡは、ＷＵＲモード開始要求が受諾されたことを示すＷＵＲモード応答フレームを受信した後、ＷＵＲモードを開始して、ＷＵＲドーズ状態に留まる。
【００２４】
本開示の第１の実施形態に従えば、図２に示されているように、ＷＵＲドーズ状態にあるＳＴＡのＷＵＲは、ＡＰ１１０からユニキャストウェイクアップフレーム２０２を受信すると、ＷＵＲアウェイク状態に移行し、次に、ＡＰ１１０との間でＤＬデータ送信及び確認応答手続き２３０を始める。このＤＬデータ送信及び確認応答手続き２３０の期間において、ＳＴＡは、バッファリングされたトラフィックを取り出すためのＰＳポールフレーム（PS-Poll frame）を、自己のＰＣＲを介してＡＰ１１０に送信し、ウェイクアップフレーム２０２の受信成功を通知してもよい。ＡＰ１１０は、バッファリングされたデータフレーム（Data frame）によって、あるいは、ＡＣＫフレームと、別のＴＸＯＰ（Transmission Opportunity：送信機会）においてそれに続く、送信キューの先頭における、バッファリングされたデータフレームと、によって、ＰＳポールフレームに応答する。ＳＴＡについて更なるトラフィックがバッファリングされている場合には、配信されるデータフレーム内のモアデータフィールド（More Data field）が１に設定される。そうでない場合には、配信されるデータフレーム内のモアデータフィールドは０に設定される。ＳＴＡは、データフレームの受信成功を通知する確認応答フレームによって、応答する。確認応答フレームは、ＡＣＫフレーム、あるいは、ＢｌｏｃｋＡＣＫフレームのいずれかである。ＳＴＡは、０に設定されたモアデータフィールドを含むデータフレームの受信成功を通知する確認応答フレームを送信した後、ＷＵＲドーズ状態に移行する。
【００２５】
本開示の第１の態様に従えば、ＳＴＡは、ウェイクアップフレームが受信されなくても、あるいは、ＵＬデータトラフィックがバッファリングされていなくても、ＷＵＲドーズ状態からＷＵＲアウェイク状態に移行してもよい。一例として、ＳＴＡは、ＡＰ１１０との間で新たなウェイクアップ動作パラメータ（例えば、自己のＷＵＲ受信機のデューティサイクルスケジュール）をネゴシエーションしようとする場合、ＷＵＲドーズ状態からＷＵＲアウェイク状態に移行して、ＡＰ１１０との間で別のＷＵＲネゴシエーション手続き２４０を始める。ＷＵＲネゴシエーション手続き２４０の期間において、ＳＴＡは、ＡＰ１１０に、要求ウェイクアップ動作パラメータを含むＷＵＲモード要求フレーム（WUR Mode Request frame）を送信し、次に、ＡＰ１１０が、合意ウェイクアップ動作パラメータを含み、且つ、いつその合意ウェイクアップ動作パラメータが有効になるかを示すＷＵＲモード応答フレーム（WUR Mode Response frame）で応答する。ＳＴＡは、新たなウェイクアップ動作パラメータのネゴシエーションが完了した後、ＷＵＲドーズ状態に移行する。別の一例として、ＳＴＡは、ＷＵＲモードを終了しようとする場合、ＷＵＲドーズ状態からＷＵＲアウェイク状態に移行して、ＡＰ１１０との間でＷＵＲモード終了手続き２５０を始める。このＷＵＲモード終了手続き２５０の期間において、ＳＴＡは、ＡＰ１１０に、ＷＵＲモードを終了する要求を含むＷＵＲモード要求フレームを送信し、次に、ＡＰ１１０が、ＷＵＲモードを終了するＳＴＡの要求を受諾するか、あるいは、拒否するかを示すＷＵＲモード応答フレームで応答する。ＳＴＡは、ＷＵＲモードを終了する要求が受諾されたことを示すＷＵＲモード応答フレームを受信した後、ＷＵＲモードを終了してＰＳモードのみで動作する。
【００２６】
本開示の第１の態様に従えば、ＷＵＲモードで動作しているＳＴＡは、図２に例示されているように、ＷＵＲモードを終了する必要なしに、ＡＰ１１０との間でＷＵＲネゴシエーション手続きを始めて新たなウェイクアップ動作パラメータをネゴシエーションすることができる。その結果、チャンネル効率が最大化される。
【００２７】
本開示の第１の態様に従えば、ＡＰ１１０は、ＷＵＲモード（例えば、ＷＵＲチャンネル）で動作しているＳＴＡとの間で新たなウェイクアップ動作パラメータをネゴシエーションしようとする場合、ＷＵＲモードで動作しているＳＴＡに新たなウェイクアップ動作パラメータをネゴシエーションしたいことを通知する図１０に例示されているようなウェイクアップフレームを送信する。ＷＵＲモードで動作しているＳＴＡは、そのようなウェイクアップフレームを受信した後、ＷＵＲモードを終了する必要なしに、ＡＰ１１０との間でＷＵＲネゴシエーション手続きを始めて新たなウェイクアップ動作パラメータをネゴシエーションする。その結果、チャンネル効率が最大化される。
【００２８】
本開示に従って、ＷＵＲネゴシエーションの期間においてネゴシエーションすることができるウェイクアップ動作パラメータの１つは、いわゆる、ＷＵＲスリープ間隔である。ＷＵＲスリープ間隔は、ＷＵＲモードで動作しているＳＴＡが、ＡＰ１１０との同期を維持する目的で、どれくらいの頻度で自己のＰＣＲをオンにしてビーコンフレームを受信するかをＡＰ１１０に示す。ＷＵＲスリープ間隔は、ＩＥＥＥ規格８０２.１１ＴＭ-２０１６で規定されたＷＮＭ(Wireless Network Management：無線ネットワーク管理)スリープ期間よりも遥かに長くすることができ、その理由は、ＷＮＭスリープモードで動作しているＳＴＡとは異なり、ＷＵＲモードで動作しているＳＴＡは、データトラフィックがバッファリングされているか否かを検査するためにウェイクアップしてビーコンフレームを受信する必要がないからである。
【００２９】
本開示に従えば、ＷＵＲネゴシエーションの期間においてネゴシエーションすることができるウェイクアップ動作パラメータのもう１つは、いわゆる、データレートフィードバック要求である。ＳＴＡが複数のデータレートとデータレートフィードバックとをサポートしている場合、ＡＰ１１０は、ＳＴＡに対して、ＷＵＲチャンネルで送信された受信ウェイクアップ測定信号の品質に基づいて、推奨されるデータレートを報告するように要求してもよい。その結果、ＡＰ１１０は、ＷＵＲチャンネルでＳＴＡにウェイクアップ信号を送信するために使用されるデータレートについて、情報に基づいた決定を行うことができる。
【００３０】
＜第２の実施形態＞
図３は、本開示の第２の実施形態に従うＷＵＲ ＳＴＡとＡＰ１１０とによって行われる、ＷＵＲモード動作に関連するＭＡＣ手続き例を例示している。ＳＴＡがアソシエーション手続きを介してＡＰ１１０にアソシエーションされた後にＰＳモードで動作していると仮定する。ＳＴＡは、ＡＰ１１０との間でＷＵＲネゴシエーション及びＷＵＲモード開始の統合された手続き３１０を始めて、ウェイクアップ動作パラメータをネゴシエーションしてＷＵＲモードの開始を要求する。ＷＵＲネゴシエーション及びＷＵＲモード開始の統合された手続き３１０の期間において、ＳＴＡは、要求ウェイクアップ動作パラメータとＷＵＲモード開始要求とを含むＷＵＲモード要求フレームをＡＰ１１０に送信し、次に、ＡＰ１１０が、合意ウェイクアップ動作パラメータを含み、且つ、ＳＴＡのＷＵＲモード開始要求を受諾するか、あるいは、拒絶するかを示すＷＵＲモード応答フレームで応答する。ＳＴＡは、ＷＵＲモード開始要求が受諾されたことを示すＷＵＲモード応答フレームを受信した後、ＷＵＲモードを開始して、ＷＵＲドーズ状態に留まる。
【００３１】
本開示の第２の実施形態に従えば、ＷＵＲネゴシエーション及びＷＵＲモード開始の統合された手続き３１０は、ＷＵＲネゴシエーション手続き２１０及びＷＵＲモード開始手続き２２０と同じ機能を実施する。その結果、第２の実施形態は、第１の実施形態よりも良好なチャンネル効率を有している。
【００３２】
本開示の第２の実施形態に従えば、図３に示されているように、ＷＵＲドーズ状態にあるＳＴＡのＷＵＲ受信機は、ＡＰ１１０からユニキャストウェイクアップフレーム３０２を受信すると、自己のパワーマネジメントモードをアクティブモードに変更し、次に、ＡＰ１１０との間でＤＬデータ送信及び確認応答手続き３２０を始める。このＤＬデータ送信及び確認応答手続き３２０の期間において、ＳＴＡは、バッファリングされたトラフィックを取り込み、且つ、ウェイクアップフレーム３０２の受信成功を通知するための、パワーマネジメントサブフィールド（Power Management subfield）が０に設定されたＱｏＳヌルフレーム(QoS Null frame)を、自己のＰＣＲを介して、ＡＰ１１０に送信してもよい。ＡＰ１１０は、ＡＣＫフレームと、それに続く、送信キューの先頭におけるバッファリングされたデータフレームと、によってＱｏＳヌルフレームに応答する。ＳＴＡについて更なるトラフィックがバッファリングされている場合には、配信されるデータフレーム内のモアデータフィールドが１に設定される。そうでない場合には、配信されるデータフレーム内のモアデータフィールドは０に設定される。ＳＴＡは、データフレームの受信成功を通知する確認応答フレームによって、応答する。確認応答フレームは、ＡＣＫフレーム、あるいは、ＢｌｏｃｋＡＣＫフレームのいずれかである。
【００３３】
ＳＴＡは、０に設定されたモアデータフィールドを含むデータフレームの受信成功を通知する確認応答フレームを送信した後、ＰＳモードに戻すためのパワーマネジメントモード変更手続き３３０を始めてもよい。このパワーマネジメントモード変更手続き３３０の期間において、ＳＴＡは、パワーマネジメントサブフィールドが１に設定されたＱｏＳヌルフレームをＡＰ１１０に送信し、次に、ＡＰ１１０がＡＣＫフレームで応答する。ＳＴＡは、ＡＣＫフレームを受信した後、ＰＳモードでの動作に移行して、ＷＵＲドーズ状態に留まる。
【００３４】
本開示の第１の態様に従えば、ＳＴＡは、ウェイクアップフレームが受信されなくても、あるいは、ＵＬデータトラフィックがバッファリングされていなくても、ＷＵＲドーズ状態からＷＵＲアウェイク状態に移行してもよい。一例として、ＳＴＡは、ＡＰ１１０との間で新たなウェイクアップ動作パラメータ（例えば、自己のＷＵＲ受信機のデューティサイクルスケジュール）をネゴシエーションしようとする場合、ＷＵＲドーズ状態からＷＵＲアウェイク状態に移行して、ＡＰ１１０との間で別のＷＵＲネゴシエーション手続き３４０を始める。このＷＵＲネゴシエーション手続き３４０の期間において、ＳＴＡは、ＡＰ１１０に、要求ウェイクアップ動作パラメータを含むＷＵＲモード要求フレームを送信し、次に、ＡＰ１１０が、合意ウェイクアップ動作パラメータを含み、且つ、いつその合意ウェイクアップ動作パラメータが有効になるかを示すＷＵＲモード応答フレームで応答する。ＳＴＡは、新たなウェイクアップ動作パラメータのネゴシエーションが完了した後、ＷＵＲドーズ状態に移行する。別の一例として、ＳＴＡは、ＷＵＲモードを終了しようとする場合、ＷＵＲドーズ状態からＷＵＲアウェイク状態に移行して、ＡＰ１１０との間でＷＵＲモード終了手続き３５０を始める。このＷＵＲモード終了手続き３５０の期間において、ＳＴＡは、ＡＰ１１０に、ＷＵＲモードを終了する要求を含むＷＵＲモード要求フレームを送信し、次に、ＡＰ１１０が、ＷＵＲモードを終了するＳＴＡの要求を受諾するか、あるいは、拒否するかを示すＷＵＲモード応答フレームで応答する。ＳＴＡは、ＷＵＲモードを終了する要求が受諾されたことを示すＷＵＲモード応答フレームを受信した後、ＷＵＲモードを終了してＰＳモードのみで動作する。
【００３５】
本開示の第１の態様に従えば、ＷＵＲモードで動作しているＳＴＡは、図３に例示されているように、ＷＵＲモードを終了する必要なしに、ＡＰ１１０との間でＷＵＲネゴシエーション手続きを始めて新たなウェイクアップ動作パラメータをネゴシエーションすることができる。その結果、チャンネル効率が最大化される。
【００３６】
本開示の第１の態様に従えば、ＡＰ１１０は、ＷＵＲモードで動作しているＳＴＡとの間で新たなウェイクアップ動作パラメータをネゴシエーションしようとする場合、ＷＵＲモードで動作しているＳＴＡに新たなウェイクアップ動作パラメータをネゴシエーションしたいことを通知する図１０に例示されているようなウェイクアップフレームを送信する。ＷＵＲモードで動作しているＳＴＡは、そのようなウェイクアップフレームを受信した後、ＷＵＲモードを終了する必要なしに、ＡＰ１１０との間でＷＵＲネゴシエーション手続きを始めて新たなウェイクアップ動作パラメータをネゴシエーションする。その結果、チャンネル効率が最大化される。
【００３７】
本開示の第１の態様に従えば、全てのウェイクアップ動作パラメータは、図１２に例示されているように、ＷＵＲモードエレメント（WUR Mode element）内で搬送できる。このＷＵＲモードエレメントは、図１１に例示されているように、ＷＵＲアクションフレーム（WUR Action frame）内に、例えばＷＵＲモード要求フレーム又はＷＵＲモード応答フレーム内に、含めることができる。
【００３８】
図４は、本開示の第１の態様に従って、ＳＴＡについてのＷＵＲモード動作に関連する状態遷移を例示している。ＳＴＡは、ＷＵＲモード動作に関連する４つの状態を有する場合がある。第１の状態においては、全てのウェイクアップ動作パラメータが準備されていない。第２の状態においては、全てのウェイクアップ動作パラメータは準備されているが、ＷＵＲモードは運用されていない。第３の状態において、ＷＵＲモードは、ＷＵＲドーズ状態で運用されている。第４の状態において、ＷＵＲモードは、ＷＵＲアウェイク状態で運用されている。図４に例示されているように、第１の状態にあるＳＴＡは、ＷＵＲネゴシエーション手続きが完了した後に第２の状態に移行でき、あるいは、ＷＵＲネゴシエーション及びＷＵＲモード開始の統合された手続きが完了した後に、且つ、ＳＴＡがＰＳモードにおいても動作している場合には、第３の状態に移行でき、あるいは、ＷＵＲネゴシエーション及びＷＵＲモード開始の統合された手続きが完了した後に、且つ、ＳＴＡがアクティブモードにおいても動作している場合には、第４の状態に移行できる。第２の状態にあるＳＴＡは、ＷＵＲモード開始手続きが完了した後に第３の状態に移行でき、あるいは、ＷＵＲモード開始手続きが完了した後に、且つ、ＳＴＡがアクティブモードにおいても動作している場合には、第４の状態に移行でき、あるいは、ＷＵＲネゴシエーション手続きが完了した後にウェイクアップ動作パラメータを更新できる。第３の状態にあるＳＴＡは、様々な理由で、例えば、ＵＬデータトラフィックがバッファリングされている場合に、あるいは、ウェイクアップフレームを受信した場合に、第４の状態に移行できる。第４の状態にあるＳＴＡは、ＷＵＲモード終了手続きの完了後に第２の状態に移行でき、あるいは、ＷＵＲネゴシエーション手続きの完了後にウェイクアップ動作パラメータを更新できる。第４の状態にあるＳＴＡは、様々な理由で、例えば、モアデータフィールドが０に設定されたＤＬデータフレームの確認応答を行う確認応答フレームを送信した後で、あるいは、モアデータフィールドが０に設定されたＵＬデータフレームの確認応答を行う確認応答フレームを受信した後で、第３の状態に移行できる。
【００３９】
本開示の第２の態様に従えば、ウェイクアップ動作パラメータは、２つのカテゴリ、即ち、共通ウェイクアップ動作パラメータとユーザ固有ウェイクアップ動作パラメータに分類される。共通ウェイクアップ動作パラメータは、無線ネットワーク１００内の全てのＷＵＲ ＳＴＡに適用可能である。ユーザ固有ウェイクアップ動作パラメータは、無線ネットワーク１００内の特定のＷＵＲ ＳＴＡのみに適用可能である。共通ウェイクアップ動作パラメータの例には、
・ＷＵＲビーコン間隔、
・ＷＵＲ基本単位、及び
・最小ウェイクアップデュレーション、
などが含まれる。また、ユーザ固有ウェイクアップ動作パラメータの例には、
・ＳＴＡがウェイクアップフレームを受信できるＷＵＲチャンネル、
・ユニキャストウェイクアップフレーム内で使用されるＳＴＡ識別子、
・ＳＴＡのＷＵＲ受信機のデューティサイクルスケジュール、
・ＷＵＲスリープ間隔、及び
・データレートフィードバック要求、
などが含まれる。
【００４０】
本開示の第２の態様に従えば、共通ウェイクアップ動作パラメータは、図１５に例示されているように、ＷＵＲ動作エレメント（WUR Operation element）内において搬送できる。このＷＵＲ動作エレメントは、ビーコンフレーム、アソシエーション応答フレーム（Association Response frame）、再アソシエーション応答フレーム（Reassociation Response frame）、あるいは、プローブ応答フレーム（Probe Response frame）内に含めることができる。これらのビーコンフレーム、アソシエーション応答フレーム、再アソシエーション応答フレーム及びプローブ応答フレームのフォーマットは、ＩＥＥＥ規格８０２.１１ＴＭ-２０１６に規定されている。
【００４１】
本開示の第２の態様に従えば、ユーザ固有ウェイクアップ動作パラメータは、図１４に例示されているように、ＷＵＲモードエレメント内において搬送できる。このＷＵＲモードエレメントは、図１１に例示されているようなＷＵＲアクションフレーム（例えば、ＷＵＲモード要求フレーム又はＷＵＲモード応答フレーム）内に、あるいは、アソシエーション応答フレーム又は再アソシエーション応答フレーム内に含めることができる。
【００４２】
本開示の第２の態様に従えば、共通ウェイクアップ動作パラメータは、ＳＴＡが同期手続き及び／又はアソシエーション手続きを介してＡＰ１１０から取得できる。ユーザ固有ウェイクアップ動作パラメータは、ＳＴＡとＡＰ１１０との間で、ＷＵＲネゴシエーション手続き、ＷＵＲネゴシエーション及びＷＵＲモード開始の統合された手続き、あるいは、ＷＵＲネゴシエーションを組み込んだアソシエーション手続きを介して、ネゴシエーションされる。共通ウェイクアップ動作パラメータはユーザ固有ウェイクアップ動作パラメータほど頻繁には変更されないので、チャンネル効率が最大化される。
【００４３】
＜第３の実施形態＞
図５は、本開示の第３の実施形態に従って、ＷＵＲ ＳＴＡとＡＰ１１０とによって実施される、ＷＵＲモード動作に関連するＭＡＣ手続きの例を例示している。ＳＴＡは、ＡＰ１１０にアソシエーションされる前に、アクティブモードで動作して、パッシブスキャン又はアクティブスキャンを介してＡＰ１１０との同期を取るための同期手続き５１０を始める。この同期手続き５１０の期間において、アクティブスキャンが実施される場合、ＳＴＡは、プローブ要求フレーム（Probe Request frame）をＡＰ１１０に送信し、このプローブ要求フレームには、ＳＴＡのＷＵＲ能力情報（WUR capability information）（例えば、そのＰＣＲをオンにするのに必要な時間及びデータレートフィードバックのサポート）が含まれていてもよい。そして、次に、ＡＰ１１０は、共通ウェイクアップ動作パラメータと必要な同期情報（例えば、ＴＳＦ（Time Synchronization Function（時間同期機能））タイマ）とを含むプローブ応答フレームで応答する。このプローブ応答フレームには、ＡＰ１１０のＷＵＲ能力情報（例えば、複数のウェイクアップフレームについての周波数領域多重化送信のサポート）が含まれていてもよい。パッシブスキャンが実施される場合、ＳＴＡは、ＡＰ１１０から共通ウェイクアップ動作パラメータと必要な同期情報とを含むビーコンフレームを受信する。このビーコンフレームは、ＡＰ１１０のＷＵＲ能力情報を含んでいてもよい。
【００４４】
ＳＴＡは、同期手続き５１０を介してＡＰ１１０と同期した後、ＡＰ１１０との間でアソシエーション手続き５２０を始めてもよい。このアソシエーション手続き５２０の期間において、ＳＴＡは、ＡＰ１１０にアソシエーション要求フレーム又は再アソシエーション要求フレームを送信し、これにはＳＴＡのＷＵＲ能力情報が含まれていてもよい。そして、次に、ＡＰ１１０がアソシエーション応答フレーム又は再アソシエーション応答フレームで応答し、これには共通ウェイクアップ動作パラメータとＡＰ１１０のＷＵＲ能力情報とが含まれていてもよい。
【００４５】
ＳＴＡは、アソシエーション手続き５２０を介してＡＰ１１０にアソシエーションされた後に、自己のパワーマネジメントモードをＰＳモードに変更するためのパワーマネジメントモード変更手続き５２５を、ＡＰ１１０との間で、始めてもよい。このパワーマネジメントモード変更手続き５２５の期間において、ＳＴＡはパワーマネジメントサブフィールドが１に設定されたＱｏＳヌルフレームをＡＰ１１０に送信してもよく、ＡＰ１１０はＡＣＫフレームで応答する。ＳＴＡは、ＡＣＫフレームを受信した後、ＰＳモードでの動作に移行する。その後、ＳＴＡは、ＡＰ１１０との間で、ユーザ固有ウェイクアップ動作パラメータをネゴシエーションするためのＷＵＲネゴシエーション手続き５３０を始めてもよい。このＷＵＲネゴシエーション手続き５３０の期間において、ＳＴＡは、要求ユーザ固有ウェイクアップ動作パラメータを含むＷＵＲモード要求フレームをＡＰ１１０に送信し、次に、ＡＰ１１０が、合意ユーザ固有ウェイクアップ動作パラメータを含むＷＵＲモード応答フレームで応答する。ＳＴＡは、ユーザ固有ウェイクアップ動作パラメータのネゴシエーションを完了した後、ＡＰ１１０との間でＷＵＲモード開始手続き５４０を始めてもよい。このＷＵＲモード開始手続き５４０の期間において、ＳＴＡは、ＷＵＲモード開始要求を含むＷＵＲモード要求フレームをＡＰ１１０に送信し、次に、ＡＰ１１０が、ＳＴＡのＷＵＲモード開始要求を受諾するか、あるいは、拒絶するかを示すＷＵＲモード応答フレームで応答する。ＳＴＡは、ＷＵＲモード開始要求が受諾されたことを示すＷＵＲモード応答フレームを受信した後、ＷＵＲモードを開始して、ＷＵＲドーズ状態に留まる。
【００４６】
本開示の第３の実施形態に従えば、図５に示されているように、ＷＵＲドーズ状態にあるＳＴＡのＷＵＲは、ＡＰ１１０からユニキャストウェイクアップフレーム５０２を受信すると、ＷＵＲアウェイク状態に移行し、次に、ＡＰ１１０との間でＤＬデータ送信及び確認応答手続き５５０を始める。このＤＬデータ送信及び確認応答手続き５５０の期間において、ＳＴＡは、バッファリングされたトラフィックを出すためのＰＳポールフレームを、自己のＰＣＲを介してＡＰ１１０に送信し、ウェイクアップフレーム５０２の受信成功を通知してもよい。ＡＰ１１０は、バッファリングされたデータフレームによって、あるいは、ＡＣＫフレームと、別のＴＸＯＰにおいてそれに続く、送信キューの先頭における、バッファリングされたデータフレームと、によって、ＰＳポールフレームに応答する。ＳＴＡについて更なるトラフィックがバッファリングされている場合には、配信されるデータフレーム内のモアデータフィールドが１に設定される。そうでない場合には、配信されるデータフレーム内のモアデータフィールドは０に設定される。ＳＴＡは、データフレームの受信成功を通知する確認応答フレームによって、応答する。確認応答フレームは、ＡＣＫフレーム、あるいは、ＢｌｏｃｋＡＣＫフレームのいずれかである。ＳＴＡは、０に設定されたモアデータフィールドを含むデータフレームの受信成功を通知する確認応答フレームを送信した後、ＷＵＲドーズ状態に移行する。
【００４７】
本開示の第２の態様に従えば、ＳＴＡは、ウェイクアップフレームが受信されなくても、あるいは、ＵＬデータトラフィックがバッファリングされていなくても、ＷＵＲドーズ状態からＷＵＲアウェイク状態に移行してもよい。一例として、ＳＴＡは、ＡＰ１１０との間で新たなユーザ固有ウェイクアップ動作パラメータ（例えば、自己のＷＵＲ受信機のデューティサイクルスケジュール）をネゴシエーションしようとする場合、ＷＵＲドーズ状態からＷＵＲアウェイク状態に移行して、ＡＰ１１０との間で別のＷＵＲネゴシエーション手続き５６０を始める。このＷＵＲネゴシエーション手続き５６０の期間において、ＳＴＡは、ＡＰ１１０に、要求ユーザ固有ウェイクアップ動作パラメータを含むＷＵＲモード要求フレームを送信し、次に、ＡＰ１１０が、合意ユーザ固有ウェイクアップ動作パラメータを含み、且つ、いつその合意ウェイクアップ動作パラメータが有効になるかを示すＷＵＲモード応答フレームで応答する。ＳＴＡは、新たなユーザ固有ウェイクアップ動作パラメータのネゴシエーションが完了した後、ＷＵＲドーズ状態に移行する。別の一例として、ＳＴＡは、ＷＵＲモードを終了しようとする場合、ＷＵＲドーズ状態からＷＵＲアウェイク状態に移行して、ＡＰ１１０との間でＷＵＲモード終了手続き５７０を始める。このＷＵＲモード終了手続き５７０の期間において、ＳＴＡは、ＡＰ１１０に、ＷＵＲモードを終了する要求を含むＷＵＲモード要求フレームを送信し、次に、ＡＰ１１０が、ＷＵＲモードを終了するＳＴＡの要求を受諾するか、あるいは、拒否するかを示すＷＵＲモード応答フレームで応答する。ＳＴＡは、ＷＵＲモードを終了する要求が受諾されたことを示すＷＵＲモード応答フレームを受信した後、ＷＵＲモードを終了してＰＳモードのみで動作する。
【００４８】
本開示の第２の態様に従えば、ＷＵＲモードで動作しているＳＴＡは、図５に例示されているように、ＷＵＲモードを終了する必要なしに、ＡＰ１１０との間でＷＵＲネゴシエーション手続きを始めて新たなユーザ固有ウェイクアップ動作パラメータをネゴシエーションすることができる。その結果、チャンネル効率が最大化される。
【００４９】
本開示の第２の態様に従えば、ＡＰ１１０は、ＷＵＲモードで動作しているＳＴＡとの間で新たなユーザ固有ウェイクアップ動作パラメータをネゴシエーションしようとする場合、ＷＵＲモードで動作しているＳＴＡに新たなユーザ固有ウェイクアップ動作パラメータをネゴシエーションしたいことを通知する図１０に例示されているようなウェイクアップフレームを送信する。ＷＵＲモードで動作しているＳＴＡは、そのようなウェイクアップフレームを受信した後、ＷＵＲモードを終了する必要なしに、ＡＰ１１０との間でＷＵＲネゴシエーション手続きを始めて新たなユーザ固有ウェイクアップ動作パラメータをネゴシエーションする。その結果、チャンネル効率が最大化される。
【００５０】
＜第４の実施形態＞
図６は、本開示の第４の実施形態に従って、ＷＵＲ ＳＴＡとＡＰ１１０とによって実施される、ＷＵＲモード動作に関連するＭＡＣ手続きの例を例示している。ＳＴＡは、ＡＰ１１０にアソシエーションされる前に、アクティブモードで動作して、パッシブスキャン又はアクティブスキャンを介してＡＰ１１０との同期を取るための同期手続き６１０を始める。この同期手続き６１０の期間において、アクティブスキャンが実施される場合、ＳＴＡは、プローブ要求フレームをＡＰ１１０に送信し、このプローブ要求フレームには、ＳＴＡのＷＵＲ能力情報が含まれていてもよい。そして、次に、ＡＰ１１０は、共通ウェイクアップ動作パラメータと必要な同期情報とを含むプローブ応答フレームで応答する。このプローブ応答フレームには、ＡＰ１１０のＷＵＲ能力情報が含まれていてもよい。パッシブスキャンが実施される場合、ＳＴＡは、ＡＰ１１０から共通ウェイクアップ動作パラメータと必要な同期情報とを含むビーコンフレームを受信する。このビーコンフレームには、ＡＰ１１０のＷＵＲ能力情報が含まれていてもよい。
【００５１】
ＳＴＡは、同期手続き６１０を介してＡＰ１１０と同期した後、ＡＰ１１０との間でアソシエーション手続き６２０を始めてもよい。このアソシエーション手続き６２０の期間において、ＳＴＡは、ＡＰ１１０にアソシエーション要求フレーム又は再アソシエーション要求フレームを送信し、これにはＳＴＡのＷＵＲ能力情報が含まれていてもよい。そして、次に、ＡＰ１１０がアソシエーション応答フレーム又は再アソシエーション応答フレームで応答し、これには共通ウェイクアップ動作パラメータとＡＰ１１０のＷＵＲ能力情報とが含まれていてもよい。
【００５２】
ＳＴＡは、アソシエーション手続き６２０を介してＡＰ１１０にアソシエーションされた後に、自己のパワーマネジメントモードをＰＳモードに変更するためのパワーマネジメントモード変更手続き６２５を、ＡＰ１１０との間で、始めてもよい。このパワーマネジメントモード変更手続き６２５の期間において、ＳＴＡはパワーマネジメントサブフィールドが１に設定されたＱｏＳヌルフレームをＡＰ１１０に送信してもよく、ＡＰ１１０はＡＣＫフレームで応答する。ＳＴＡは、ＡＣＫフレームを受信した後、ＰＳモードでの動作に移行する。その後、ＳＴＡは、ＡＰ１１０との間で、ユーザ固有ウェイクアップ動作パラメータをネゴシエーションしてＷＵＲモードの開始を要求するためのＷＵＲネゴシエーション及びＷＵＲモードの統合された開始手続き６３０を始めてもよい。このＷＵＲネゴシエーション及びＷＵＲモード開始の統合された開始手続き６３０の期間において、ＳＴＡは、要求ユーザ固有ウェイクアップ動作パラメータとＷＵＲモード開始要求とを含むＷＵＲモード要求フレームをＡＰ１１０に送信し、次に、ＡＰ１１０が、合意ユーザ固有ウェイクアップ動作パラメータを含み、且つ、ＳＴＡのＷＵＲモード開始要求を受諾するか、あるいは、拒絶するかを示すＷＵＲモード応答フレームで応答する。ＳＴＡは、ＷＵＲモード開始要求が受諾されたことを示すＷＵＲモード応答フレームを受信した後、ＷＵＲモードを開始して、ＷＵＲドーズ状態に留まる。
【００５３】
本開示の第４の実施形態に従えば、ＷＵＲネゴシエーション及びＷＵＲモード開始の統合された開始手続き６３０は、第３の実施形態におけるＷＵＲネゴシエーション手続き５３０及びＷＵＲモード開始手続き５４０と同じ機能を実施する。その結果、第４の実施形態は、第３の実施形態よりも良好なチャンネル効率を有している。
【００５４】
本開示の第４の実施形態に従えば、図６に示されているように、ＷＵＲドーズ状態にあるＳＴＡのＷＵＲ受信機は、ＡＰ１１０からユニキャストウェイクアップフレーム６０２を受信すると、自己のパワーマネジメントモードをＰＳモードからアクティブモードに変更し、次に、ＡＰ１１０との間でＤＬデータ送信及び確認応答手続き６４０を始めてもよい。このＤＬデータ送信及び確認応答手続き６４０の期間において、ＳＴＡは、バッファリングされたトラフィックを取り込み、且つ、ウェイクアップフレーム６０２の受信成功を通知するための、パワーマネジメントサブフィールドが０に設定されたＱｏＳヌルフレームを、自己のＰＣＲを介して、ＡＰ１１０に送信してもよい。ＡＰ１１０は、ＡＣＫフレームと、それに続く、送信キューの先頭におけるバッファリングされたデータフレームと、によってＱｏＳヌルフレームに応答する。ＳＴＡについて更なるトラフィックがバッファリングされている場合には、配信されるデータフレーム内のモアデータフィールドが１に設定される。そうでない場合には、配信されるデータフレーム内のモアデータフィールドは０に設定される。ＳＴＡは、データフレームの受信成功を通知する確認応答フレームによって、応答する。確認応答フレームは、ＡＣＫフレーム、あるいは、ＢｌｏｃｋＡＣＫフレームのいずれかである。
【００５５】
ＳＴＡは、０に設定されたモアデータフィールドを含むデータフレームの受信成功を通知する確認応答フレームを送信した後、ＰＳモードに戻すためのパワーマネジメントモード変更手続き６５０を始めてもよい。このパワーマネジメントモード変更手続き６５０の期間において、ＳＴＡは、パワーマネジメントサブフィールドが１に設定されたＱｏＳヌルフレームをＡＰ１１０に送信し、次に、ＡＰ１１０がＡＣＫフレームで応答する。ＳＴＡは、ＡＣＫフレームを受信した後、ＰＳモードでの動作に移行して、ＷＵＲドーズ状態に留まる。
【００５６】
本開示の第２の態様に従えば、ＳＴＡは、ウェイクアップフレームが受信されなくても、あるいは、ＵＬデータトラフィックがバッファリングされていなくても、ＷＵＲドーズ状態からＷＵＲアウェイク状態に移行してもよい。一例として、ＳＴＡは、ＡＰ１１０との間で新たなユーザ固有ウェイクアップ動作パラメータ（例えば、自己のＷＵＲ受信機のデューティサイクルスケジュール）をネゴシエーションしようとする場合、ＷＵＲドーズ状態からＷＵＲアウェイク状態に移行して、ＡＰ１１０との間で別のＷＵＲネゴシエーション手続き６６０を始める。このＷＵＲネゴシエーション手続き６６０の期間において、ＳＴＡは、ＡＰ１１０に、要求ユーザ固有ウェイクアップ動作パラメータを含むＷＵＲモード要求フレームを送信し、次に、ＡＰ１１０が、合意ユーザ固有ウェイクアップ動作パラメータを含み、且つ、いつその合意ユーザ固有ウェイクアップ動作パラメータが有効になるかを示すＷＵＲモード応答フレームで応答する。ＳＴＡは、新たなユーザ固有ウェイクアップ動作パラメータのネゴシエーションが完了した後、ＷＵＲドーズ状態に移行する。別の一例として、ＳＴＡは、ＷＵＲモードを終了しようとする場合、ＷＵＲドーズ状態からＷＵＲアウェイク状態に移行して、ＡＰ１１０との間でＷＵＲモード終了手続き６７０を始める。このＷＵＲモード終了手続き６７０の期間において、ＳＴＡは、ＡＰ１１０に、ＷＵＲモードを終了する要求を含むＷＵＲモード要求フレームを送信し、次に、ＡＰ１１０が、ＷＵＲモードを終了するＳＴＡの要求を受諾するか、あるいは、拒否するかを示すＷＵＲモード応答フレームで応答する。ＳＴＡは、ＷＵＲモードを終了する要求が受諾されたことを示すＷＵＲモード応答フレームを受信した後、ＷＵＲモードを終了してＰＳモードのみで動作する。
【００５７】
本開示の第２の態様に従えば、ＷＵＲモードで動作しているＳＴＡは、図６に例示されているように、ＷＵＲモードを終了する必要なしに、ＡＰ１１０との間でＷＵＲネゴシエーション手続きを始めて新たなユーザ固有ウェイクアップ動作パラメータをネゴシエーションすることができる。その結果、チャンネル効率が最大化される。
【００５８】
本開示の第２の態様に従えば、ＡＰ１１０は、ＷＵＲモードで動作しているＳＴＡとの間で新たなユーザ固有ウェイクアップ動作パラメータをネゴシエーションしようとする場合、ＷＵＲモードで動作しているＳＴＡに新たなユーザ固有ウェイクアップ動作パラメータをネゴシエーションしたいことを通知する図１０に例示されているようなウェイクアップフレームを送信する。ＷＵＲモードで動作しているＳＴＡは、そのようなウェイクアップフレームを受信した後、ＷＵＲモードを終了する必要なしに、ＡＰ１１０との間でＷＵＲネゴシエーション手続きを始めて新たなユーザ固有ウェイクアップ動作パラメータをネゴシエーションする。その結果、チャンネル効率が最大化される。
【００５９】
＜第５の実施形態＞
図７は、本開示の第５の実施形態に従って、ＷＵＲ ＳＴＡとＡＰ１１０とによって実施される、ＷＵＲモード動作に関連するＭＡＣ手続きの例を例示している。ＳＴＡは、ＡＰ１１０にアソシエーションされる前に、アクティブモードで動作して、パッシブスキャン又はアクティブスキャンを介してＡＰ１１０との同期を取るための同期手続き７１０を始める。この同期手続き７１０の期間において、アクティブスキャンが実施される場合、ＳＴＡは、プローブ要求フレームをＡＰ１１０に送信し、このプローブ要求フレームには、ＳＴＡのＷＵＲ能力情報が含まれている。そして、次に、ＡＰ１１０は、共通ウェイクアップ動作パラメータと必要な同期情報とを含むプローブ応答フレームで応答する。このプローブ応答フレームにはＡＰ１１０のＷＵＲ能力情報も含まれている。パッシブスキャンが実施される場合、ＳＴＡは、ＡＰ１１０から共通ウェイクアップ動作パラメータと必要な同期情報とを含むビーコンフレームを受信する。このビーコンフレームにはＡＰ１１０のＷＵＲ能力情報も含まれている。
【００６０】
ＳＴＡは、同期手続き７１０を介してＡＰ１１０と同期した後、ＡＰ１１０との間で、ＷＵＲネゴシエーションを組み込んだアソシエーション手続き７２０を始めてもよい。このアソシエーション手続き７２０の期間において、ＳＴＡは、要求ユーザ固有ウェイクアップ動作パラメータを含むアソシエーション要求フレーム又は再アソシエーション要求フレームをＡＰ１１０に送信する。そして、次に、ＡＰ１１０は、合意ユーザ固有ウェイクアップ動作パラメータを含むアソシエーション応答フレーム又は再アソシエーション応答フレームで応答する。
【００６１】
本開示の第５の実施形態に従えば、アソシエーション手続き７２０は、第３の実施形態におけるアソシエーション手続き５２０及びＷＵＲネゴシエーション手続き５３０と同じ機能を実施する。その結果、第５の実施形態は、第３の実施形態よりも良好なチャンネル効率を有している。
【００６２】
ＳＴＡは、アソシエーション手続き７２０を介してＡＰ１１０にアソシエーションされた後に、自己のパワーマネジメントモードをＰＳモードに変更するためのパワーマネジメントモード変更手続き７２５を、ＡＰ１１０との間で、始めてもよい。このパワーマネジメントモード変更手続き７２５の期間において、ＳＴＡはパワーマネジメントサブフィールドが１に設定されたＱｏＳヌルフレームをＡＰ１１０に送信してもよく、ＡＰ１１０はＡＣＫフレームで応答する。ＳＴＡは、ＡＣＫフレームを受信した後、ＰＳモードでの動作に移行する。その後、ＳＴＡは、ＡＰ１１０との間でＷＵＲモード開始手続き７３０を始めてもよい。このＷＵＲモード開始手続き７３０の期間において、ＳＴＡは、ＷＵＲモード開始要求を含むＷＵＲモード要求フレームをＡＰ１１０に送信し、次に、ＡＰ１１０が、ＳＴＡのＷＵＲモード開始要求を受諾するか、あるいは、拒絶するかを示すＷＵＲモード応答フレームで応答する。ＳＴＡは、ＷＵＲモード開始要求が受諾されたことを示すＷＵＲモード応答フレームを受信した後、ＷＵＲモードを開始して、ＷＵＲドーズ状態に留まる。
【００６３】
本開示の第５の実施形態に従えば、図７に示されているように、ＷＵＲドーズ状態にあるＳＴＡのＷＵＲは、ＡＰ１１０からユニキャストウェイクアップフレーム７０２を受信すると、ＷＵＲアウェイク状態に移行し、次に、ＡＰ１１０との間でＤＬデータ送信及び確認応答手続き７４０を始める。このＤＬデータ送信及び確認応答手続き７４０の期間において、ＳＴＡは、バッファリングされたトラフィックを取り出すためのＰＳポールフレームを、自己のＰＣＲを介してＡＰ１１０に送信し、ウェイクアップフレーム７０２の受信成功を通知してもよい。ＡＰ１１０は、バッファリングされたデータフレームによって、あるいは、ＡＣＫフレームと、別のＴＸＯＰにおいてそれに続く、送信キューの先頭における、バッファリングされたデータフレームと、によって、ＰＳポールフレームに応答する。ＳＴＡについて更なるトラフィックがバッファリングされている場合には、配信されるデータフレーム内のモアデータフィールドが１に設定される。そうでない場合には、配信されるデータフレーム内のモアデータフィールドは０に設定される。ＳＴＡは、データフレームの受信成功を通知する確認応答フレームによって、応答する。確認応答フレームは、ＡＣＫフレーム、あるいは、ＢｌｏｃｋＡＣＫフレームのいずれかである。ＳＴＡは、０に設定されたモアデータフィールドを含むデータフレームの受信成功を通知する確認応答フレームを送信した後、ＷＵＲドーズ状態に移行する。
【００６４】
本開示の第２の態様に従えば、ＳＴＡは、ウェイクアップフレームが受信されなくても、あるいは、ＵＬデータトラフィックがバッファリングされていなくても、ＷＵＲドーズ状態からＷＵＲアウェイク状態に移行してもよい。一例として、ＳＴＡは、ＡＰ１１０との間で新たなユーザ固有ウェイクアップ動作パラメータ（例えば、自己のＷＵＲ受信機のデューティサイクルスケジュール）をネゴシエーションしようとする場合、ＷＵＲドーズ状態からＷＵＲアウェイク状態に移行して、ＡＰ１１０との間でＷＵＲネゴシエーション手続き７５０を始める。このＷＵＲネゴシエーション手続き７５０の期間において、ＳＴＡは、ＡＰ１１０に、要求ユーザ固有ウェイクアップ動作パラメータを含むＷＵＲモード要求フレームを送信し、次に、ＡＰ１１０が、合意ユーザ固有ウェイクアップ動作パラメータを含むＷＵＲモード応答フレームで応答する。ＳＴＡは、このＷＵＲモード応答フレームを受信した後、ＷＵＲドーズ状態に移行する。別の一例として、ＳＴＡは、ＷＵＲモードを終了しようとする場合、ＷＵＲドーズ状態からＷＵＲアウェイク状態に移行して、ＡＰ１１０との間でＷＵＲモード終了手続き７６０を始める。このＷＵＲモード終了手続き７６０の期間において、ＳＴＡは、ＡＰ１１０に、ＷＵＲモードを終了する要求を含むＷＵＲモード要求フレームを送信し、次に、ＡＰ１１０が、ＷＵＲモードを終了するＳＴＡの要求を受諾するか、あるいは、拒否するかを示すＷＵＲモード応答フレームで応答する。ＳＴＡは、ＷＵＲモードを終了する要求が受諾されたことを示すＷＵＲモード応答フレームを受信した後、ＷＵＲモードを終了してＰＳモードのみで動作する。
【００６５】
本開示の第２の態様に従えば、ＷＵＲモードで動作しているＳＴＡは、図７に例示されているように、ＷＵＲモードを終了する必要なしに、ＡＰ１１０との間でＷＵＲネゴシエーション手続きを始めて新たなユーザ固有ウェイクアップ動作パラメータをネゴシエーションすることができる。その結果、チャンネル効率が最大化される。
【００６６】
本開示の第２の態様に従えば、ＡＰ１１０は、ＷＵＲモードで動作しているＳＴＡとの間で新たなユーザ固有ウェイクアップ動作パラメータをネゴシエーションしようとする場合、ＷＵＲモードで動作しているＳＴＡに新たなユーザ固有ウェイクアップ動作パラメータをネゴシエーションしたいことを通知する図１０に例示されているようなウェイクアップフレームを送信する。ＷＵＲモードで動作しているＳＴＡは、そのようなウェイクアップフレームを受信した後、ＷＵＲモードを終了する必要なしに、ＡＰ１１０との間でＷＵＲネゴシエーション手続きを始めて新たなユーザ固有ウェイクアップ動作パラメータをネゴシエーションする。その結果、チャンネル効率が最大化される。
【００６７】
＜第６の実施形態＞
図８は、本開示の第６の実施形態に従って、ＷＵＲ ＳＴＡとＡＰ１１０とによって実施される、ＷＵＲモード動作に関連するＭＡＣ手続きの例を例示している。ＳＴＡは、ＡＰ１１０にアソシエーションされる前に、アクティブモードで動作して、パッシブスキャン又はアクティブスキャンを介してＡＰ１１０との同期を取るための同期手続き８１０を始める。この同期手続き８１０の期間において、アクティブスキャンが実施される場合、ＳＴＡは、プローブ要求フレームをＡＰ１１０に送信し、このプローブ要求フレームには、ＳＴＡのＷＵＲ能力情報が含まれている。そして、次に、ＡＰ１１０は、共通ウェイクアップ動作パラメータと必要な同期情報とを含むプローブ応答フレームで応答する。このプローブ応答フレームにはＡＰ１１０のＷＵＲ能力情報も含まれている。パッシブスキャンが実施される場合、ＳＴＡは、ＡＰ１１０から共通ウェイクアップ動作パラメータと必要な同期情報とを含むビーコンフレームを受信する。このビーコンフレームにはＡＰ１１０のＷＵＲ能力情報も含まれている。
【００６８】
ＳＴＡは、同期手続き８１０を介してＡＰ１１０と同期した後、ＡＰ１１０との間で、ＷＵＲネゴシエーションとＷＵＲモード開始とを組み込んだアソシエーション手続き８２０を始めてもよい。このアソシエーション手続き８２０の期間において、ＳＴＡは、要求ユーザ固有ウェイクアップ動作パラメータとＷＵＲモード開始要求とを含むアソシエーション要求フレーム又は再アソシエーション要求フレームをＡＰ１１０に送信する。そして、次に、ＡＰ１１０は、ＳＴＡのＷＵＲモード開始要求を受諾するか、あるいは、拒絶するかを示し、且つ、合意ユーザ固有ウェイクアップ動作パラメータを含むアソシエーション応答フレーム又は再アソシエーション応答フレームで応答する。ＳＴＡは、ＷＵＲモード開始要求が受諾されたことを示すアソシエーション応答フレーム又は再アソシエーション応答フレームを受信した後、ＷＵＲモードを開始して、ＷＵＲアウェイク状態に留まる。
【００６９】
本開示の第６の実施形態に従えば、アソシエーション手続き８２０は、第４の実施形態におけるアソシエーション手続き６２０及びＷＵＲネゴシエーション及びＷＵＲモード開始の統合された開始手続き６３０と同じ機能を実施する。その結果、第６の実施形態は、第４の実施形態よりも良好なチャンネル効率を有している。
【００７０】
ＳＴＡは、アソシエーション手続き８２０を介してＡＰ１１０にアソシエーションされた後に、自己のパワーマネジメントモードをＰＳモードに変更するためのパワーマネジメントモード変更手続き８２５を、ＡＰ１１０との間で、始めてもよい。このパワーマネジメントモード変更手続き８２５の期間において、ＳＴＡはパワーマネジメントサブフィールドが１に設定されたＱｏＳヌルフレームをＡＰ１１０に送信してもよく、ＡＰ１１０はＡＣＫフレームで応答する。ＳＴＡは、このＡＣＫフレームを受信した後、ＰＳモードでの動作に移行して、ＷＵＲドーズ状態に留まる。
【００７１】
本開示に従えば、図８に示されているように、ＷＵＲドーズ状態にあるＳＴＡのＷＵＲ受信機は、ＡＰ１１０からユニキャストウェイクアップフレーム８０２を受信すると、自己のパワーマネジメントモードをアクティブモードに変更し、次に、ＡＰ１１０との間でＤＬデータ送信及び確認応答手続き８３０を始めてもよい。このＤＬデータ送信及び確認応答手続き８３０の期間において、ＳＴＡは、バッファリングされたトラフィックを取り込み、且つ、ウェイクアップフレーム８０２の受信成功を通知するための、パワーマネジメントサブフィールドが０に設定されたＱｏＳヌルフレームを、自己のＰＣＲを介して、ＡＰ１１０に送信してもよい。ＡＰ１１０は、ＡＣＫフレームと、それに続く、送信キューの先頭におけるバッファリングされたデータフレームと、によってＱｏＳヌルフレームに応答する。ＳＴＡについて更なるトラフィックがバッファリングされている場合には、配信されるデータフレーム内のモアデータフィールドが１に設定される。そうでない場合には、配信されるデータフレーム内のモアデータフィールドは０に設定される。ＳＴＡは、データフレームの受信成功を通知する確認応答フレームによって、応答する。確認応答フレームは、ＡＣＫフレーム、あるいは、ＢｌｏｃｋＡＣＫフレームのいずれかである。
【００７２】
ＳＴＡは、０に設定されたモアデータフィールドを含むデータフレームの受信成功を通知する確認応答フレームを送信した後、ＰＳモードに戻すためのパワーマネジメントモード変更手続き８４０を始めてもよい。このパワーマネジメントモード変更手続き８４０の期間において、ＳＴＡは、パワーマネジメントサブフィールドが１に設定されたＱｏＳヌルフレームをＡＰ１１０に送信し、次に、ＡＰ１１０がＡＣＫフレームで応答する。ＳＴＡは、ＡＣＫフレームを受信した後、ＰＳモードでの動作に移行して、ＷＵＲドーズ状態に留まる。
【００７３】
本開示の第２の態様に従えば、ＳＴＡは、ウェイクアップフレームが受信されなくても、あるいは、ＵＬデータトラフィックがバッファリングされていなくても、ＷＵＲドーズ状態からＷＵＲアウェイク状態に移行してもよい。一例として、ＳＴＡは、ＡＰ１１０との間で新たなユーザ固有ウェイクアップ動作パラメータ（例えば、自己のＷＵＲ受信機のデューティサイクルスケジュール）をネゴシエーションしようとする場合、ＷＵＲドーズ状態からＷＵＲアウェイク状態に移行して、ＡＰ１１０との間で別のＷＵＲネゴシエーション手続き８５０を始める。このＷＵＲネゴシエーション手続き８５０の期間において、ＳＴＡは、ＡＰ１１０に、要求ユーザ固有ウェイクアップ動作パラメータを含むＷＵＲモード要求フレームを送信し、次に、ＡＰ１１０が、合意ユーザ固有ウェイクアップ動作パラメータを含むＷＵＲモード応答フレームで応答する。ＳＴＡは、このＷＵＲモード応答フレームを受信した後、ＷＵＲドーズ状態に移行する。別の一例として、ＳＴＡは、ＷＵＲモードを終了しようとする場合、ＷＵＲドーズ状態からＷＵＲアウェイク状態に移行して、ＡＰ１１０との間でＷＵＲモード終了手続き８６０を始める。このＷＵＲモード終了手続き８６０の期間において、ＳＴＡは、ＡＰ１１０に、ＷＵＲモードを終了する要求を含むＷＵＲモード要求フレームを送信し、次に、ＡＰ１１０が、ＷＵＲモードを終了するＳＴＡの要求を受諾するか、あるいは、拒否するかを示すＷＵＲモード応答フレームで応答する。ＳＴＡは、ＷＵＲモードを終了する要求が受諾されたことを示すＷＵＲモード応答フレームを受信した後、ＷＵＲモードを終了してＰＳモードのみで動作する。
【００７４】
本開示の第２の態様に従えば、ＷＵＲモードで動作しているＳＴＡは、図８に例示されているように、ＷＵＲモードを終了する必要なしに、ＡＰ１１０との間でＷＵＲネゴシエーション手続きを始めて新たなユーザ固有ウェイクアップ動作パラメータをネゴシエーションすることができる。その結果、チャンネル効率が最大化される。
【００７５】
本開示の第２の態様に従えば、ＡＰ１１０は、ＷＵＲモードで動作しているＳＴＡとの間で新たなユーザ固有ウェイクアップ動作パラメータをネゴシエーションしようとする場合、ＷＵＲモードで動作しているＳＴＡに新たなユーザ固有ウェイクアップ動作パラメータをネゴシエーションしたいことを通知する図１０に例示されているようなウェイクアップフレームを送信する。ＷＵＲモードで動作しているＳＴＡは、そのようなウェイクアップフレームを受信した後、ＷＵＲモードを終了する必要なしに、ＡＰ１１０との間でＷＵＲネゴシエーション手続きを始めて新たなユーザ固有ウェイクアップ動作パラメータをネゴシエーションする。その結果、チャンネル効率が最大化される。
【００７６】
図９は、本開示の第２の態様に従って、ＳＴＡについてのＷＵＲモード動作に関連する状態遷移を例示している。ＳＴＡは、ＷＵＲモード動作に関連する５つの状態を有している。第１の状態においては、全てのウェイクアップ動作パラメータが準備されていない。第２の状態においては、共通ウェイクアップ動作パラメータは準備されているが、ユーザ固有ウェイクアップ動作パラメータは準備されていない。第３の状態においては、全てのウェイクアップ動作パラメータは準備されているが、ＷＵＲモードは運用されていない。第４の状態において、ＷＵＲモードはＷＵＲドーズ状態で運用されている。第５の状態において、ＷＵＲモードはＷＵＲアウェイク状態で運用されている。図９に例示されているように、第１の状態にあるＳＴＡは、同期手続き及び／又はアソシエーション手続きが完了した後に第２の状態に移行でき、あるいは、同期手続きとＷＵＲネゴシエーションを組み込んだアソシエーション手続きとが完了した後に第３の状態に移行でき、あるいは、同期手続きとＷＵＲネゴシエーション及びＷＵＲモード開始を組み込んだアソシエーション手続きとが完了し且つＳＴＡがＰＳモードにおいても動作している場合には第４の状態に移行でき、あるいは、同期手続きとＷＵＲネゴシエーション及びＷＵＲモード開始を組み込んだアソシエーション手続きとが完了し且つＳＴＡがアクティブモードにおいても動作している場合には第５の状態に移行できる。第２の状態にあるＳＴＡは、ＷＵＲネゴシエーション手続きが完了した後に第３の状態に移行でき、あるいは、ＷＵＲネゴシエーション及びＷＵＲモード開始の統合された手続きが完了し且つＳＴＡがＰＳモードにおいても動作している場合には第４の状態に移行でき、あるいは、ＷＵＲネゴシエーション及びＷＵＲモード開始の統合された手続きが完了し且つＳＴＡがアクティブモードにおいても動作している場合には第５の状態に移行できる。第３の状態にあるＳＴＡは、ＷＵＲモード開始手続きが完了した後に第４の状態に移行でき、あるいは、ＷＵＲモード開始手続きが完了し且つＳＴＡがアクティブモードにおいても動作している場合には第５の状態に移行でき、あるいは、ＷＵＲネゴシエーション手続きが完了した後にユーザ固有ウェイクアップ動作パラメータを更新でき、あるいは、ＡＰ１１０からビーコンフレームを受信した後に共通ウェイクアップ動作パラメータを更新できる。第４の状態にあるＳＴＡは、様々な理由で、例えば、ＵＬデータトラフィックがバッファリングされている場合に、あるいは、ウェイクアップフレームを受信した場合に、第５の状態に移行できる。第５の状態にあるＳＴＡは、ＷＵＲモード終了手続きが完了した後に第３の状態に移行でき、あるいは、ＷＵＲネゴシエーション手続きが完了した後にユーザ固有ウェイクアップ動作パラメータを更新でき、あるいは、ＡＰ１１０からビーコンフレームを受信した後に共通ウェイクアップ動作パラメータを更新できる。第５の状態にあるＳＴＡは、様々な理由で、例えば、モアデータフィールドが０に設定されたＤＬデータフレームの確認応答を行った後で、あるいは、モアデータフィールドが０に設定されたＵＬデータフレームの確認応答を行う確認応答フレームを受信した後で、第４の状態に移行できる。
【００７７】
＜ウェイクアップフレームのフォーマット例＞
図１０は、本開示に従うウェイクアップフレーム１０００のフォーマット例を例示している。ウェイクアップフレーム１０００には、タイプフィールド１００２、ＢＳＳカラーフィールド１００４、ＳＴＡ ＩＤフィールド１００６、及び、パラメータネゴシエーション要求フィールド１００８が含まれている。タイプフィールド１００２は、ウェイクアップフレーム１０００のタイプ、例えば、ユニキャストウェイクアップフレーム、マルチキャストウェイクアップフレーム、あるいは、ＷＵＲビーコンフレームを示している。ＢＳＳカラーフィールド１００４は、ネットワーク１００の識別子を示している。ＳＴＡ ＩＤフィールド１００６は、意図されるＳＴＡの識別子を示している。ウェイクアップフレーム１０００がユニキャストウェイクアップフレームでない場合、ＳＴＡ ＩＤフィールド１００６は存在しない。パラメータネゴシエーション要求フィールド１００８は、ＡＰ１１０が新たなウェイクアップ動作パラメータ又は新たなユーザ固有ウェイクアップ動作パラメータをネゴシエーションするつもりであるか否かを示している。
【００７８】
＜ＷＵＲアクションフレームのフォーマット例＞
図１１は、本開示に従うＷＵＲアクションフレーム１１００のフォーマット例を例示している。ＷＵＲアクションフレーム１１００には、ＭＡＣヘッダ部分１１１０とフレームボディ部分１１２０とが含まれている。フレームボディ部分１１２０には、ＷＵＲアクションフィールド１１２２とＷＵＲモードエレメント１１２４とが含まれている。ＷＵＲアクションフィールド１１２２は、ＷＵＲアクションフレーム１１００のタイプ、例えば、ＷＵＲモード要求フレーム又はＷＵＲモード応答フレームを示している。
【００７９】
図１２は、本開示の第１の態様に従うＷＵＲモードエレメント１１２４のフォーマット例を例示している。ＷＵＲモードエレメント１１２４には、アクションタイプフィールド１２０２、ＷＵＲモード応答状態フィールド１２０４、共通パラメータフィールド１２０６、ユーザ固有パラメータフィールド１２０８、及び、パラメータ変更時間フィールド１２１０が含まれている。アクションタイプフィールド１２０２は、図１３に例示されているように、ＷＵＲモードエレメント１１２４を含むＷＵＲアクションフレーム１１００が含まれているＷＵＲネゴシエーション手続き、ＷＵＲモード開始手続き、ＷＵＲネゴシエーション及びＷＵＲモード開始の統合された手続き、及び、ＷＵＲモード終了手続きのいずれかの１つを示している。ＷＵＲモード応答状態フィールド１２０４は、ＷＵＲモードの開始又は終了の要求が受諾されているか、あるいは、拒絶されているかを示している。共通パラメータフィールド１２０６には、例えば、ＷＵＲビーコン間隔、ＷＵＲ時間単位、及び、最小ウェイクアップデュレーションなどのようなウェイクアップ動作パラメータが含まれている。ユーザ固有パラメータフィールド１２０８には、例えば、ＷＵＲスリープ間隔、ＳＴＡのＷＵＲ受信機のデューティサイクルスケジュール、データレートフィードバック要求、ＷＵＲチャンネル、及び、ＳＴＡ ＩＤなどのようなユーザ固有ウェイクアップ動作パラメータが含まれている。パラメータ変更時間フィールド１２１０は、新たなウェイクアップ動作パラメータがいつ有効になるかを示している。
【００８０】
図１４は、本開示の第２の態様に従うＷＵＲモードエレメント１１２４のフォーマット例を例示している。ＷＵＲモードエレメント１１２４には、アクションタイプフィールド１４０２、ＷＵＲモード応答状態フィールド１４０４、ユーザ固有パラメータフィールド１４０８、及び、パラメータ変更時間フィールド１４１０が含まれている。アクションタイプフィールド１４０２は、図１３に例示されているように、ＷＵＲモードエレメント１１２４を含むＷＵＲアクションフレーム１１００が含まれているＷＵＲネゴシエーション手続き、ＷＵＲモード開始手続き、ＷＵＲネゴシエーション及びＷＵＲモード開始の統合された手続き、及び、ＷＵＲモード終了手続きのいずれかの１つを示している。ＷＵＲモード応答状態フィールド１４０４は、ＷＵＲモードの開始又は終了の要求が受諾されているか、あるいは、拒絶されているかを示している。ユーザ固有パラメータフィールド１４０８には、例えば、ＷＵＲスリープ間隔、ＳＴＡのＷＵＲ受信機のデューティサイクルスケジュール、データレートフィードバック要求、ＷＵＲチャンネル、及び、ＳＴＡ ＩＤなどのようなユーザ固有ウェイクアップ動作パラメータが含まれている。パラメータ変更時間フィールド１４１０は、新たなユーザ固有ウェイクアップ動作パラメータがいつ有効になるかを示している。
【００８１】
＜ＷＵＲ動作エレメントのフォーマット例＞
図１５は、本開示の第２の態様に従うＷＵＲ動作エレメント１５００のフォーマット例を例示している。ＷＵＲ動作エレメント１５００には共通パラメータフィールド１５０６が含まれている。共通パラメータフィールド１５０６には、例えば、ＷＵＲビーコン間隔、ＷＵＲ時間単位、及び、最小ウェイクアップデュレーションなどのような共通ウェイクアップ動作パラメータが含まれている。
【００８２】
＜ＷＵＲ装置の構成＞
図１６Ａは、ウェイクアップ信号を受信できるＷＵＲ１６００の例の簡潔なブロック図である。ＷＵＲ１６００は、図１に例示されているようなＳＴＡ１３０内のＷＵＲ１３４又はＳＴＡ１４０内のＷＵＲ１４４であってもよい。ＷＵＲ１６００は、受信機１６１０と受信信号プロセッサ１６２０を備えている。受信機１６１０はウェイクアップ信号の受信を担当しており、受信信号プロセッサ１６２０は、受信されたウェイクアップ信号の処理を担っている。
【００８３】
図１６Ｂは、ＷＵＲ１６００の例の詳細なブロック図である。ＷＵＲ１６００は、一般的なＭＡＣプロトコル動作を制御するために使用されるコントローラ１６３０を更に備えている。ＷＵＲ１６００の受信機１６１０は、アンテナを介して受信したＰＰＤＵをＭＡＣフレーム（例えば、ウェイクアップフレーム又はＷＵＲビーコンフレーム）に変換することを担うＰＨＹプロセッサ１６１２を備えている。ＷＵＲ１６００の受信信号プロセッサ１６２０は、本開示の種々の実施形態に従って、コントローラ１６３０の制御の下で、受信されたＭＡＣフレームの処理（例えば、ＭＡＣヘッダの解析など）を行うことと、対応するＭＡＣ情報をコントローラ１６３０に渡すことと、を担うメッセージプロセッサ１６２２を備えている。
【００８４】
ＷＵＲ１６００は、図１６Ａ及び図１６Ｂにおいて、明瞭化のために、図示されていない他の多くの構成要素を備えていてもよい。本開示に最も関係のある構成要素のみが図示されている。
【００８５】
＜ＰＣＲ装置の構成＞
図１７Ａは、標準ＩＥＥＥ８０２．１１信号を送受信できるＰＣＲ１７００の例の簡潔なブロック図である。ＰＣＲ１７００は、図１に例示されているようなＡＰ１１０内のＰＣＲ１１２、ＳＴＡ１３０内のＰＣＲ１３２、あるいは、ＳＴＡ１４０内のＰＣＲ１４２であってもよい。特に、ＡＰ１１０内のＰＣＲ１１２は、ウェイクアップ信号も送信できる。ＰＣＲ１７００は、送信信号生成回路１７１０、トランシーバ１７２０、及び、受信信号プロセッサ１７３０を備えている。送信信号生成回路１７１０は、必要であれば、標準ＩＥＥＥ８０２．１１信号及びウェイクアップ信号を生成することを担い、トランシーバ１７２０は、必要であれば、生成された標準ＩＥＥＥ８０２.１１信号及びウェイクアップ信号を送信すること、及び、標準ＩＥＥＥ８０２.１１信号を受信することを担い、受信信号プロセッサ１７３０は、受信された標準ＩＥＥＥ８０２.１１信号を処理することを担っている。
【００８６】
図１７Ｂは、ＰＣＲ１７００の例の詳細なブロック図である。ＰＣＲ１７００は、一般的なＭＡＣプロトコル動作を制御するために使用されるコントローラ１７４０を更に備えている。送信信号生成回路１７１０は、本開示の種々の実施形態に従って、コントローラ１７４０の制御の下で、ＭＡＣフレーム（例えば、ビーコンフレーム、プローブ要求／応答フレーム、アソシエーション要求／応答フレーム、再アソシエーション要求／応答フレーム、データフレーム、確認応答フレーム、ＷＵＲアクションフレーム、ウェイクアップフレーム、及び、ＷＵＲビーコンフレーム）の生成を担うメッセージ生成回路１７１２を備えている。トランシーバ１７２０は、生成されたＭＡＣフレームをＰＰＤＵに組み上げてアンテナを介して送信し、また、アンテナを介して受信したＰＰＤＵをＭＡＣフレームに変換することを担うＰＨＹプロセッサ１７２２を備えている。受信信号プロセッサ１７３０は、コントローラ１７４０の制御の下で、受信されたＭＡＣフレームの処理（例えば、ＭＡＣヘッダの解析など）を行うことと、対応するＭＡＣ情報をコントローラ１７４０に渡すことと、を担うメッセージプロセッサ１７３２を備えている。
【００８７】
ＰＣＲ１７００は、図１７Ａ及び図１７Ｂにおいて、明瞭化のために、図示されていない他の多くの構成要素を備えていてもよい。本開示に最も関係のある構成要素のみが図示されている。
【００８８】
＜ＷＵＲモード動作に関連するステートマシン＞
図１８は、本開示に従うＳＴＡについての単純化されたＷＵＲモード動作に関連するステートマシンを例示している。ＳＴＡには、ＷＵＲモード動作に関連する３つの状態がある。第１の状態は「ノーＷＵＲ（no WUR）」と呼ばれ、これにおいては、ウェイクアップ動作パラメータは準備されていない。この第１の状態においては、ＡＰ１１０とＳＴＡとの間でウェイクアップ動作パラメータのネゴシエーションが完了していないか、あるいは、ＳＴＡがＷＵＲモードを終了した後に、ネゴシエーションされたウェイクアップ動作パラメータが破棄されている。図１８に例示された第１の状態は、図４に例示された第１の状態に、あるいは、図９に例示された第１及び第２の状態に、対応している。第２の状態は「ＷＵＲモードサスペンド」と呼ばれ、これにおいては、ウェイクアップ動作パラメータは準備されているが、ＷＵＲモードは運用されていない。この第２の状態においては、ＡＰ１１０とＳＴＡとの間でウェイクアップ動作パラメータのネゴシエーションが完了しているか、あるいは、ＳＴＡがＷＵＲモードを終了した後でも、ネゴシエーションされたウェイクアップ動作パラメータが維持されている。図１８に例示された第２の状態は、図４に例示された第２の状態に、あるいは、図９に例示された第３の状態に、対応している。第３の状態は「ＷＵＲモード」と呼ばれ、これにおいては、ＳＴＡは、ネゴシエーションされたウェイクアップ動作パラメータに従って、ＷＵＲモードで動作している。図１８に例示された第３の状態は、図４に例示された第３及び第４の状態に、あるいは、図９に例示された第４及び第５の状態に、対応している。
【００８９】
図１８に例示されているように、「ノーＷＵＲ」の状態にあるＳＴＡは、このＳＴＡによって始められた双方向セットアップ手続きが完了した後に、「ＷＵＲモードサスペンド」での動作に移行できる。図１９Ａは、本開示に従う双方向セットアップ手続きの第１の例を例示している。双方向セットアップ手続きの第１の例は、図７に例示されたＷＵＲネゴシエーション付きアソシエーション手続きと同じ機能を有している。ＳＴＡは、ＡＰ１１０にアソシエーション要求フレーム又は再アソシエーション要求フレームを送信する。このアソシエーション要求フレーム又は再アソシエーション要求フレームは（図１２に例示されたような）ＷＵＲモードエレメントを含んでおり、このＷＵＲモードエレメントにおいて、アクションタイプフィールドが（図２５に例示された）「ＷＵＲモードサスペンド開始要求（Enter WUR Mode Suspend Request）」に設定されており、ユーザ固有パラメータフィールドにはＳＴＡのＷＵＲ受信機の望ましいデューティサイクルスケジュールが含まれている。ＡＰ１１０は、アソシエーション要求フレーム又は再アソシエーション要求フレームの受信に成功すると、Ａｃｋフレームで応答する。その後、ＡＰ１１０は、アソシエーション応答フレーム又は再アソシエーション応答フレームをＳＴＡに送信する。このアソシエーション応答フレーム又は再アソシエーション応答フレームは（図１２に例示されたような）ＷＵＲモードエレメントを含んでおり、このＷＵＲモードエレメントにおいて、アクションタイプフィールドが（図２５に例示された）「ＷＵＲモードサスペンド開始応答（Enter WUR Mode Suspend Response）」に設定されており、ＷＵＲモード応答状態フィールドが（図２６に例示された）「ＷＵＲモードサスペンド開始受諾」又は「拒否」に設定されている。ＷＵＲモード応答状態フィールドが「ＷＵＲモードサスペンド開始受諾」に設定されている場合には、共通パラメータフィールドにはＷＵＲビーコン間隔などが含まれており、ユーザ固有パラメータフィールドにはＳＴＡのＷＵＲ受信機のデューティサイクルスケジュール、ＷＩＤ及びＷＵＲ動作チャンネルなどが含まれている。ＷＵＲモード応答状態フィールドが「拒否」に設定されている場合には、共通パラメータフィールドとユーザ固有パラメータフィールドは存在しない。図１９Ｂは、本開示に従う双方向セットアップ手続きの第２の例を例示している。この双方向セットアップ手続きの第２の例は、図２に例示されたＷＵＲネゴシエーション手続きと同じ機能を有している。ＳＴＡは、ＷＵＲモードセットアップフレームをＡＰ１１０に送信する。このＷＵＲモードセットアップフレームは、ＷＵＲアクションフィールドが（図２４に例示された）「ＷＵＲモードセットアップ」に設定された（図１１に例示されたような）ＷＵＲアクションフレームである。ＷＵＲモードセットアップフレームは（図１２に例示されたような）ＷＵＲモードエレメントを含んでおり、このＷＵＲモードエレメントにおいて、アクションタイプフィールドが（図２５に例示された）「ＷＵＲモードサスペンド開始要求」に設定されており、ユーザ固有パラメータフィールドにはＳＴＡのＷＵＲ受信機の望ましいデューティサイクルスケジュールが含ま��ている。ＡＰ１１０は、ＷＵＲモードセットアップフレームの受信に成功すると、Ａｃｋフレームで応答する。その後、ＡＰ１１０は、ＷＵＲモードセットアップフレームをＳＴＡに送信する。このＷＵＲモードセットアップフレームは（図１２に例示されたような）ＷＵＲモードエレメントを含んでおり、このＷＵＲモードエレメントにおいて、アクションタイプフィールドが（図２５に例示された）「ＷＵＲモードサスペンド開始応答」に設定されており、ＷＵＲモード応答状態フィールドが（図２６に例示された）「ＷＵＲモードサスペンド開始受諾」又は「拒否」に設定されている。ＷＵＲモード応答状態フィールドが「ＷＵＲモードサスペンド開始受諾」に設定されている場合には、共通パラメータフィールドにはＷＵＲビーコン間隔などが含まれており、ユーザ固有パラメータフィールドにはＳＴＡのＷＵＲ受信機のデューティサイクルスケジュール、ＷＩＤ及びＷＵＲ動作チャンネルなどが含まれている。ＷＵＲモード応答状態フィールドが「拒否」に設定されている場合には、共通パラメータフィールドとユーザ固有パラメータフィールドは存在しない。
【００９０】
図１８に例示されているように、「ＷＵＲモードサスペンド」の状態にあるＳＴＡは、ＡＰ１１０又はこのＳＴＡによって始められた一方向ティアダウン手続きが完了した後、「ノーＷＵＲ」での動作に移行できる。図２０Ａは、ＳＴＡによって始められる一方向ティアダウン手続きの第１の例を例示している。ＳＴＡは、ＷＵＲモードティアダウンフレームをＡＰ１１０に送信する。このＷＵＲモードティアダウンフレームは、ＷＵＲアクションフィールドが（図２４に例示された）「ＷＵＲモードティアダウン」に設定された（図１１に例示されたような）ＷＵＲアクションフレームである。このＷＵＲモードティアダウンフレームにはＷＵＲモードエレメントは含まれていない。ＡＰ１１０は、ＷＵＲモードティアダウンフレームの受信に成功すると、Ａｃｋフレームで応答する。ＳＴＡは、このＡｃｋフレームを受信した後に、ネゴシエーションされたウェイクアップ動作パラメータを破棄する。図２０Ｂは、ＡＰ１１０によって始められる一方向ティアダウン手続きの第２の例を例示している。ＡＰ１１０は、ＷＵＲモードティアダウンフレームをＳＴＡに送信する。このＷＵＲモードティアダウンフレームにはＷＵＲモードエレメントは含まれていない。ＳＴＡは、このＷＵＲモードティアダウンフレームの受信に成功すると、Ａｃｋフレームで応答する。ＳＴＡは、このＡｃｋフレームを送信した後に、ネゴシエーションされたウェイクアップ動作パラメータを破棄する。
【００９１】
図１８に例示されているように、「ノーＷＵＲ」の状態にあるＳＴＡは、このＳＴＡによって始められた双方向セットアップ手続きが完了した後に、「ＷＵＲモード」での動作に移行できる。図１９Ａは、双方向セットアップ手続きの第１の例を例示している。この双方向セットアップ手続きの第１の例は、図８に例示された、統合されたＷＵＲネゴシエーション及びＷＵＲモード開始を組み込んだアソシエーション手続きと同じ機能を有している。ＳＴＡは、アソシエーション要求フレーム又は再アソシエーション要求フレームをＡＰ１１０に送信する。このアソシエーション要求フレーム又は再アソシエーション要求フレームは（図１２に例示されたような）ＷＵＲモードエレメントを含んでおり、このＷＵＲモードエレメントにおいて、アクションタイプフィールドが（図２５に例示された）「ＷＵＲモード開始要求（Enter WUR Mode Request）」に設定されており、ユーザ固有パラメータフィールドにはＳＴＡのＷＵＲ受信機の望ましいデューティサイクルスケジュールが含まれている。ＡＰ１１０は、アソシエーション要求フレーム又は再アソシエーション要求フレームの受信に成功すると、Ａｃｋフレームで応答する。その後、ＡＰ１１０は、アソシエーション応答フレーム又は再アソシエーション応答フレームをＳＴＡに送信する。このアソシエーション応答フレーム又は再アソシエーション応答フレームは（図１２に例示されたような）ＷＵＲモードエレメントを含んでおり、このＷＵＲモードエレメントにおいて、アクションタイプフィールドが（図２５に例示された）「ＷＵＲモード開始応答（Enter WUR Mode Response）」に設定されており、ＷＵＲモード応答状態フィールドが（図２６に例示された）「ＷＵＲモード開始受諾」又は「拒否」に設定されている。ＷＵＲモード応答状態フィールドが「ＷＵＲモード開始受諾」である場合には、共通パラメータフィールドにはＷＵＲビーコン間隔などが含まれており、ユーザ固有パラメータフィールドにはＳＴＡのＷＵＲ受信機のデューティサイクルスケジュール、ＷＩＤ及びＷＵＲ動作チャンネルなどが含まれている。ＷＵＲモード応答状態フィールドが「拒否」に設定されている場合には、共通パラメータフィールドとユーザ固有パラメータフィールドは存在しない。図１９Ｂは、双方向セットアップ手続きの第２の例を例示している。この双方向セットアップ手続きの第２の例は、図３に例示されたＷＵＲネゴシエーション及びＷＵＲモード開始の統合された手続きと同じ機能を有している。ＳＴＡは、ＷＵＲモードセットアップフレームをＡＰ１１０に送信する。このＷＵＲモードセットアップフレームは（図１２に例示されたような）ＷＵＲモードエレメントを含んでおり、このＷＵＲモードエレメントにおいて、アクションタイプフィールドが（図２５に例示された）「ＷＵＲモード開始要求」に設定されており、ユーザ固有パラメータフィールドにはＳＴＡのＷＵＲ受信機の望ましいデューティサイクルスケジュールが含まれている。ＡＰ１１０は、ＷＵＲモードセットアップフレームの受信に成功すると、Ａｃｋフレームで応答する。その後、ＡＰ１１０は、ＷＵＲモードセットアップフレームをＳＴＡに送信する。このＷＵＲモードセットアップフレームは（図１２に例示されたような）ＷＵＲモードエレメントを含んでおり、このＷＵＲモードエレメントにおいて、アクションタイプフィールドが（図２５に例示された）「ＷＵＲモード開始応答」に設定されており、ＷＵＲモード応答状態フィールドが（図２６に例示された）「ＷＵＲモード開始受諾」又は「拒否」に設定されている。ＷＵＲモード応答状態フィールドが「ＷＵＲモード開始受諾」である場合には、共通パラメータフィールドにはＷＵＲビーコン間隔などが含まれており、ユーザ固有パラメータフィールドにはＳＴＡのＷＵＲ受信機のデューティサイクルスケジュール、ＷＩＤ及びＷＵＲ動作チャンネルなどが含まれている。ＷＵＲモード応答状態フィールドが「拒否」に設定されている場合には、共通パラメータフィールドとユーザ固有パラメータフィールドは存在しない。
【００９２】
図１８に例示されているように、「ＷＵＲモード」の状態にあるＳＴＡは、このＳＴＡ又はＡＰ１１０によって始められた一方向ティアダウン手続きが完了した後に、「ノーＷＵＲ」での動作に移行できる。図２０Ａは、ＳＴＡによって始められる一方向ティアダウン手続きの第１の例を例示している。ＳＴＡは、ＷＵＲモードティアダウンフレームをＡＰ１１０に送信する。このＷＵＲモードティアダウンフレームは、ＷＵＲアクションフィールドが（図２４に例示された）「ＷＵＲモードティアダウン」に設定された（図１１に例示されたような）ＷＵＲアクションフレームである。このＷＵＲモードティアダウンフレームにはＷＵＲモードエレメントは含まれていない。ＡＰ１１０は、ＷＵＲモードティアダウンフレームの受信に成功すると、Ａｃｋフレームで応答する。ＳＴＡは、このＡｃｋフレームを受信した後に、ＷＵＲモードを終了して、ネゴシエーションされたウェイクアップ動作パラメータを破棄する。図２０Ｂは、ＡＰ１１０によって始められる一方向ティアダウン手続きの第２の例を例示している。ＡＰ１１０は、ＷＵＲモードティアダウンフレームをＳＴＡに送信する。このＷＵＲモードティアダウンフレームにはＷＵＲモードエレメントは含まれていない。ＳＴＡは、このＷＵＲモードティアダウンフレームの受信に成功すると、Ａｃｋフレームで応答する。ＳＴＡは、このＡｃｋフレームを送信した後に、ＷＵＲモードを終了して、ネゴシエーションされたウェイクアップ動作パラメータを破棄する。
【００９３】
図１８に例示されているように、「ＷＵＲモードサスペンド」の状態にあるＳＴＡは、このＳＴＡによって始められた一方向又は双方向のセットアップ手続きが完了した後に、「ＷＵＲモード」に移行できる。図２１Ａは、ＳＴＡによって始められる一方向セットアップ手続きの例を例示している。この一方向セットアップ手続きの例は、図５に例示されたＷＵＲモード開始手続きと同じ機能を有している。ＳＴＡは、ＷＵＲモードセットアップフレームをＡＰ１１０に送信する。このＷＵＲモードセットアップフレームは（図１２に例示されたような）ＷＵＲモードエレメントを含んでおり、このＷＵＲモードエレメントにおいて、アクションタイプフィールドが（図２５に例示された）「ＷＵＲモード開始」に設定されており、共通パラメータフィールドとユーザ固有パラメータフィールドは存在しない。ＡＰ１１０は、このＷＵＲモードセットアップフレームの受信に成功すると、Ａｃｋフレームで応答する。ＳＴＡは、このＡｃｋフレームを受信した後に、既存のウェイクアップ動作パラメータに従って、ＷＵＲモードで動作する。図１９Ｂは、ＳＴＡによって始められる双方向セットアップ手続きの例を例示している。この双方向セットアップ手続きの例は、図３に例示されたＷＵＲモード開始及びＷＵＲネゴシエーションの統合された手続きと同じ機能を有している。ＳＴＡは、ＷＵＲモードセットアップフレームをＡＰ１１０に送信する。このＷＵＲモードセットアップフレームは（図１２に例示されたような）ＷＵＲモードエレメントを含んでおり、このＷＵＲモードエレメントにおいて、アクションタイプフィールドが（図２５に例示された）「ＷＵＲモード開始要求」に設定されており、ユーザ固有パラメータフィールドにはＳＴＡのＷＵＲ受信機の望ましいデューティサイクルスケジュールが含まれている。ＡＰ１１０は、ＷＵＲモードセットアップフレームの受信に成功すると、Ａｃｋフレームで応答する。その後、ＡＰ１１０は、ＷＵＲモードセットアップフレームをＳＴＡに送信する。このＷＵＲモードセットアップフレームは（図１２に例示されたような）ＷＵＲモードエレメントを含んでおり、このＷＵＲモードエレメントにおいて、アクションタイプフィールドが（図２５に例示された）「ＷＵＲモード開始応答」に設定されており、ＷＵＲモード応答状態フィールドが（図２６に例示された）「ＷＵＲモード開始受諾」又は「拒否」に設定されている。ＷＵＲモード応答状態フィールドが「ＷＵＲモード開始受諾」である場合には、共通パラメータフィールドにはＷＵＲビーコン間隔などが含まれており、ユーザ固有パラメータフィールドにはＳＴＡのＷＵＲ受信機のデューティサイクルスケジュール、ＷＩＤ及びＷＵＲ動作チャンネルなどが含まれている。ＷＵＲモード応答状態フィールドが「拒否」に設定されている場合には、共通パラメータフィールドとユーザ固有パラメータフィールドは存在しない。
【００９４】
図１８に例示されているように、「ＷＵＲモード」の状態にあるＳＴＡは、このＳＴＡ又はＡＰ１１０によって始められた一方向セットアップ手続きが完了した後に、「ＷＵＲモードサスペンド」に移行できる。図２１Ａは、ＳＴＡによって始められる一方向セットアップ手続きの第１の例を例示している。この一方向セットアップ手続きの第１の例は、図２に例示されたＷＵＲモード終了手続きと同じ機能を有している。ＳＴＡは、ＷＵＲモードセットアップフレームをＡＰ１１０に送信する。このＷＵＲモードセットアップフレームは（図１２に例示されたような）ＷＵＲモードエレメントを含んでおり、このＷＵＲモードエレメントにおいて、アクションタイプフィールドが（図２５に例示された）「ＷＵＲモードサスペンド開始」に設定されており、共通パラメータフィールドとユーザ固有パラメータフィールドは存在しない。ＡＰ１１０は、このＷＵＲモードセットアップフレームの受信に成功すると、Ａｃｋフレームで応答する。ＳＴＡは、このＡｃｋフレームを受信した後に、ＷＵＲモードを終了して、ネゴシエーションされたウェイクアップ動作パラメータを維持する。図２１Ｂは、ＡＰ１１０によって始められる一方向セットアップ手続きの第２の例を例示している。ＡＰ１１０は、ＷＵＲモードセットアップフレームをＳＴＡに送信する。このＷＵＲモードセットアップフレームは（図１２に例示されたような）ＷＵＲモードエレメントを含んでおり、このＷＵＲモードエレメントにおいて、アクションタイプフィールドが（図２５に例示された）「ＷＵＲモードサスペンド開始」に設定されており、共通パラメータフィールドとユーザ固有パラメータフィールドは存在しない。ＳＴＡは、このＷＵＲモードセットアップフレームの受信に成功すると、Ａｃｋフレームで応答する。ＳＴＡは、このＡｃｋフレームを送信した後に、ＷＵＲモードを終了して、ネゴシエーションされたウェイクアップ動作パラメータを維持する。
【００９５】
図１８に例示されているように、「ＷＵＲモードサスペンド」又は「ＷＵＲモード」の状態にあるＳＴＡについて、ウェイクアップ動作パラメータは、ＡＰ１１０によって始められる一方向手続き又はＳＴＡによって始められる双方向更新手続きを介して、更新できる。図２２は、ＡＰ１１０によって始められる一方向更新手続きの一例を例示している。ＡＰ１１０は、ＷＵＲモード更新フレームをＳＴＡに送信する。このＷＵＲモード更新フレームは、ＷＵＲアクションフィールドが（図２４に例示された）「ＷＵＲモード更新」に設定された（図１１に例示されたような）ＷＵＲアクションフレームである。このＷＵＲモード更新フレームは（図１２に例示されたような）ＷＵＲモードエレメントを含んでおり、このＷＵＲモードエレメントにおいて、アクションタイプフィールドが（図２５に例示された）「ＷＵＲパラメータ更新」に設定されており、共通パラメータフィールドにはＷＵＲビーコン間隔などが含まれており、ユーザ固有パラメータフィールドにはＳＴＡのＷＵＲ受信機のデューティサイクルスケジュール、ＷＩＤ及びＷＵＲ動作チャンネルなどが含まれており、パラメータ変更時間フィールドには新たなウェイクアップ動作パラメータがいつ有効になるかが示されている。ＳＴＡは、このＷＵＲモード更新フレームの受信に成功するとＡｃｋフレームで応答し、それに応じてウェイクアップ動作パラメータを更新する。図２３は、ＳＴＡによって始められる双方向更新手続きの一例を例示している。この双方向更新手続きの一例は、図２に例示されたＷＵＲネゴシエーション手続きと同じ機能を有している。ＳＴＡは、ＷＵＲモード更新フレームをＡＰ１１０に送信する。このＷＵＲモード更新フレームは（図１２に例示されたような）ＷＵＲモードエレメントを含んでおり、このＷＵＲモードエレメントにおいて、アクションタイプフィールドが（図２５に例示された）「ＷＵＲパラメータ更新要求」に設定されており、ユーザ固有パラメータフィールドにはＳＴＡのＷＵＲ受信機の望ましいデューティサイクルスケジュールが含まれている。ＡＰ１１０は、このＷＵＲモード更新フレームの受信に成功すると、Ａｃｋフレームで応答する。その後、ＡＰ１１０は、ＷＵＲモード更新フレームをＳＴＡに送信する。このＷＵＲモード更新フレームは（図１２に例示されたような）ＷＵＲモードエレメントを含んでおり、このＷＵＲモードエレメントにおいて、アクションタイプフィールドが（図２５に例示された）「ＷＵＲパラメータ更新応答」に設定されており、共通パラメータフィールドにはＷＵＲビーコン間隔などが含まれており、ユーザ固有パラメータフィールドにはＳＴＡのＷＵＲ受信機のデューティサイクルスケジュール、ＷＩＤ及びＷＵＲ動作チャンネルなどが含まれており、パラメータ変更時間フィールドには新たなウェイクアップ動作パラメータがいつ有効になるかが示されている。ＳＴＡは、このＷＵＲモード更新フレームの受信に成功するとＡｃｋフレームで応答し、それに応じてウェイクアップ動作パラメータを更新する。
【００９６】
本開示に従えば、ＡＰ１１０が、「ＷＵＲモードサスペンド」又は「ＷＵＲモード」の状態にあるＳＴＡについて、ウェイクアップ動作パラメータを変更しようとする場合には、図２２に例示された一方向更新手続きが望ましく、その理由は、それが、図２３に例示された双方向更新手続きよりもチャンネルオーバーヘッドが少ないからである。
【００９７】
本開示に従えば、「ＷＵＲモードサスペンド」の状態にあるＳＴＡが新たなウェイクアップ動作パラメータを用いた「ＷＵＲモード」での動作に移行しようとする場合には、図１９Ｂに例示された双方向セットアップ手続きが望ましく、その理由は、それが、図２３に例示された双方向更新手続きと、それに続く、図２１Ａに例示された一方向セットアップ手続きよりもチャンネルオーバーヘッドが少ないからである。
【００９８】
＜ＷＵＲアクションフィールドのフォーマット例＞
図２４は、本開示に従うＷＵＲアクションフレーム１１００のＷＵＲアクションフィールド１１２２のフォーマットの別の一例を例示している。ＷＵＲアクションフィールド１１２２は、ＷＵＲアクションフレーム１１００のタイプ、例えば、ＷＵＲモードセットアップフレーム、ＷＵＲモードティアダウンフレーム、あるいは、ＷＵＲモード更新フレームを示している。
【００９９】
＜アクションタイプフィールドのフォーマット例＞
図２５は、本開示に従うＷＵＲモードエレメント１１２４のアクションタイプフィールド１２０２のフォーマットの別の一例を例示している。アクションタイプフィールド１２０２は、ＷＵＲモードエレメント１１２４を含むアソシエーション要求フレーム、アソシエーション応答フレーム、再アソシエーション要求フレーム、再アソシエーション応答フレーム、ＷＵＲモードセットアップフレーム、あるいは、ＷＵＲモード更新フレームについてのＷＵＲモード動作に関連するアクションを示している。
【０１００】
＜ＷＵＲモード応答状態フィールドのフォーマット例＞
図２６は、本開示に従うＷＵＲモードエレメント１１２４のＷＵＲモード応答状態フィールド１２０４のフォーマットの別の一例を例示している。ＷＵＲモード応答状態フィールド１２０４は、「ＷＵＲモード」又は「ＷＵＲモードサスペンド」での動作についてのＳＴＡの要求が受諾されているか、あるいは、拒絶されているかを示している。
【０１０１】
＜ＷＵＲ装置の構成＞
図２７は、ＷＵＲ１６００の別の一例の詳細なブロック図である。ＷＵＲ１６００は、コントローラ２７３０とＷＵＲメモリ２７４０を更に備えている。コントローラ２７３０は、一般的なＭＡＣプロトコル動作を制御するために使用される。受信機１６１０は、アンテナを介して受信したＰＰＤＵをＭＡＣフレーム（例えば、ウェイクアップフレーム又はＷＵＲビーコンフレーム）に変換することを担うＰＨＹプロセッサ２７１２を備えている。受信信号プロセッサ１６２０は、本開示の種々の実施形態に従って、コントローラ２７３０の制御の下で、受信ＭＡＣフレームを処理して、対応するＭＡＣ情報をコントローラ２７３０に渡すことを担うメッセージプロセッサ２７２２を備えている。ＷＵＲメモリ２７４０は、特にＷＵＲ ＳＴＡが「ＷＵＲモードサスペンド」で動作する際に、ＷＵＲ１６００を含むＷＵＲ ＳＴＡ（例えば、１３０又は１４０）とＡＰ１１０との間でのネゴシエーションされたウェイクアップ動作パラメータを記憶することを担っている。
【０１０２】
＜ＰＣＲ装置の構成＞
図２８は、ＰＣＲ１７００の別の一例の詳細なブロック図である。ＰＣＲ１７００は、コントローラ２８４０を更に備えている。コントローラ２８４０は、一般的なＭＡＣプロトコル動作を制御するために使用される。送信信号生成回路１７１０は、本開示の種々の実施形態に従って、コントローラ２８４０の制御の下で、ＭＡＣフレーム（例えば、ビーコンフレーム、プローブ要求／応答フレーム、アソシエーション要求／応答フレーム、再アソシエーション要求／応答フレーム、データフレーム、確認応答フレーム、ＷＵＲアクションフレーム、ウェイクアップフレーム、及び、ＷＵＲビーコンフレーム）を生成することを担うメッセージ生成回路２８１２を備えている。トランシーバ１７２０は、生成されたＭＡＣフレームをＰＰＤＵに組み上げてアンテナを介して送信することと、アンテナを介して受信したＰＰＤＵをＭＡＣフレームに変換することと、を担うＰＨＹプロセッサ２８２２を備えている。受信信号プロセッサ１７３０は、コントローラ２８４０の制御の下で、受信ＭＡＣフレームの処理（例えば、ＭＡＣヘッダの解析など）を行って、対応するＭＡＣ情報をコントローラ２８４０に渡すことを担うメッセージプロセッサ２８３２を備えている。
【０１０３】
本開示に従えば、ＰＣＲ１７００は、ＡＰ１１０内で使用される場合、ＷＵＲメモリ２８５０を更に備えており、このＷＵＲメモリ２８５０は、特にＷＵＲ ＳＴＡが「ＷＵＲモードサスペンド」で動作する際に、ＷＵＲ ＳＴＡ（例えば、１３０及び１４０）とＡＰ１１０との間でのネゴシエーションされたウェイクアップ動作パラメータを記憶することを担っている。
【０１０４】
本開示は、ソフトウェア、ハードウェア、あるいは、ハードウェアと協働するソフトウェアによって実現できる。上述の各実施形態の説明で用いた各機能ブロックは部分的に又は完全に集積回路などのＬＳＩで実現でき、各実施形態で説明した各処理は、同一のＬＳＩ又は複数のＬＳＩの組み合わせによって部分的に又は完全に制御してもよい。ＬＳＩは、個別にチップとして形成されてもよいし、あるいは、１つのチップが機能ブロックの一部又は全部を含むように形成されてもよい。ＬＳＩは、データ入力とこれに結合された出力とを備えていてもよい。ここでいうＬＳＩとは、集積度の違いにより、ＩＣ、システムＬＳＩ、スーパーＬＳＩ、あるいは、ウルトラＬＳＩを意味する場合もある。しかしながら、集積回路を実施する技術は、ＬＳＩに限定されず、専用回路、汎用プロセッサ又は専用プロセッサを用いて実現されてもよい。また、ＬＳＩの製造後にプログラム可能なＦＰＧＡ（Field Programmable Gate Array：フィールドプログラマブルゲートアレイ）、あるいは、ＬＳＩ内部に配置された回路セルの接続及び設定を再構成できる再構成可能プロセッサを使用してもよい。本開示は、半導体技術又は他の派生技術の進歩の結果として、デジタル処理又はアナログ処理として実現できる。
【０１０５】
ＬＳＩに代わる回路集積技術が、半導体技術又はその技術から派生した他の技術の進歩の結果として、現れた場合、機能ブロックは将来の集積回路技術を使用して統合できるであろう。別の可能性としては、バイオテクノロジー及び／又は同様の技術の応用がある。
【産業上の利用可能性】
【０１０６】
本開示は、無線ネットワークにおけるＷＵＲモード動作のための装置及び方法に適用できる。
【符号の説明】
【０１０７】
１１０  ＡＰ
１３０、１４０  ＳＴＡ
１１２、１３２、１４２、１７００  ＰＣＲ
１３４、１４４、１６００  ＷＵＲ
１６１０  受信機
１６１２、２７１２、１７２２、２８２２  ＰＨＹプロセッサ 
１６２０、１７３０  受信信号プロセッサ
１６２２、２７２２、１７３２、２８３２  メッセージプロセッサ
１６３０、１７４０  コントローラ
１７１０  送信信号生成回路
１７１２、２８１２  メッセージ生成回路
１７２０  トランシーバ
【図１】
2020532889.tif 000003
【図２】
2020532889.tif 000004
【図３】
2020532889.tif 000005
【図４】
2020532889.tif 000006
【図５】
2020532889.tif 000007
【図６】
2020532889.tif 000008
【図７】
2020532889.tif 000009
【図８】
2020532889.tif 000010
【図９】
2020532889.tif 000011
【図１０】
2020532889.tif 000012
【図１１】
2020532889.tif 000013
【図１２】
2020532889.tif 000014
【図１３】
2020532889.tif 000015
【図１４】
2020532889.tif 000016
【図１５】
2020532889.tif 000017
【図１６Ａ】
2020532889.tif 000018
【図１６Ｂ】
2020532889.tif 000019
【図１７Ａ】
2020532889.tif 000020
【図１７Ｂ】
2020532889.tif 000021
【図１８】
2020532889.tif 000022
【図１９Ａ】
2020532889.tif 000023
【図１９Ｂ】
2020532889.tif 000024
【図２０Ａ】
2020532889.tif 000025
【図２０Ｂ】
2020532889.tif 000026
【図２１Ａ】
2020532889.tif 000027
【図２１Ｂ】
2020532889.tif 000028
【図２２】
2020532889.tif 000029
【図２３】
2020532889.tif 000030
【図２４】
2020532889.tif 000031
【図２５】
2020532889.tif 000032
【図２６】
2020532889.tif 000033
【図２７】
2020532889.tif 000034
【図２８】
2020532889.tif 000035
【手続補正書】
【提出日】令和2年3月4日(2020.3.4)
【手続補正１】
【補正対象書類名】特許請求の範囲
【補正対象項目名】全文
【補正方法】変更
【補正の内容】
【特許請求の範囲】
【請求項１】
動作時に、ＷＵＲモードセットアップフレーム交換を始めて完了することによって、ウェイクアップ無線（ＷＵＲ）モードサスペンドからＷＵＲモードに切り替わる回路と、
動作時に、前記ＷＵＲモードセットアップフレーム交換においてＷＵＲモードセットアップフレームをアクセスポイント（ＡＰ）に送信する送信機と、
を備えた局。
【請求項２】
前記回路が、ＷＵＲパワーマネジメントサービスの取り決め後に、ＷＵＲモードサスペンドからＷＵＲモードに切り替わる、
請求項１に記載の局。
【請求項３】
前記ＷＵＲモードセットアップフレーム内に含まれるＷＵＲモード要素のアクションタイプフィールドが、前記回路が前記ＷＵＲモードを開始することを示している、
請求項２に記載の局。
【請求項４】
前記取り決めにおいて、前記送信機が、前記ＡＰに前記ＷＵＲモードサスペンドを開始する要求を示す要求フレームを送信し、前記ＡＰからの応答フレームが、前記ＡＰが前記要求を受諾したことを示している場合、前記回路が前記ＷＵＲモードサスペンドを開始する、
請求項２に記載の局。
【請求項５】
前記要求フレーム内のＷＵＲモード要素のアクションタイプフィールドが前記要求を示している、
請求項４に記載の局。
【請求項６】
前記応答フレーム内のＷＵＲモード要素のアクションタイプフィールドが、前記ＡＰが前記要求を受諾したことを示している、
請求項４に記載の局。
【請求項７】
前記回路が、ＷＵＲモードティアダウンフレームを生成することによって、ＷＵＲパワーマネジメントサービスを解消する、
請求項１に記載の局。
【請求項８】
前記ＷＵＲモード要素が、ＷＵＲ動作に関連する第１の一組のパラメータを取り決めるために使用される、
請求項３に記載の局。
【請求項９】
前記第１の一組のパラメータには、ＷＵＲチャンネルオフセットとＷＵＲデューティサイクル開始時間とが含まれている、
請求項８に記載の局。
【請求項１０】
動作時に、ＷＵＲ動作をサポートするために必要な第２の一組のパラメータを含むＷＵＲ動作要素を含むビーコンフレームを受信する受信機を備えた、
請求項８に記載の局。
【請求項１１】
前記第２の一組のパラメータには、最小ウェイクアップ持続時間、ＷＵＲチャンネル情報、及び、ＷＵＲビーコン周期が含まれている、
請求項１０に記載の局。
【請求項１２】
前記第１の一組のパラメータの各々が前記第２の一組のパラメータの各々とは異なる、
請求項１０に記載の局。
【請求項１３】
局によって実施される通信方法であって、
ＷＵＲモードセットアップフレーム交換を始めて完了することによって、ウェイクアップ無線（ＷＵＲ）モードサスペンドからＷＵＲモードに切り替わる工程と、
前記ＷＵＲモードセットアップフレーム交換においてＷＵＲモードセットアップフレームをアクセスポイント（ＡＰ）に送信する工程と、
を備えた前記通信方法。
【請求項１４】
ＷＵＲパワーマネジメントサービスの取り決め後に、ＷＵＲモードサスペンドからＷＵＲモードに切り替わる工程を備えた、
請求項１３に記載の通信方法。
【請求項１５】
前記ＷＵＲモードセットアップフレーム内に含まれるＷＵＲモード要素のアクションタイプフィールドが、回路が前記ＷＵＲモードを開始することを示している、
請求項１４に記載の通信方法。
【請求項１６】
前記ＡＰに前記ＷＵＲモードサスペンドを開始する要求を示す要求フレームを送信する工程を備え、
前記ＡＰからの応答フレームが、前記ＡＰが前記要求を受諾したことを示している場合、回路前記局が前記ＷＵＲモードサスペンドを開始する、
請求項１４に記載の通信方法。
【請求項１７】
ＷＵＲモードティアダウンフレームを生成することによって、ＷＵＲパワーマネジメントサービスを解消する工程を備えた、
請求項１３に記載の通信方法。
【請求項１８】
前記ＷＵＲモード要素が、ＷＵＲ動作に関連する第１の一組のパラメータを取り決めるために使用され、前記第１の一組のパラメータにはＷＵＲチャンネルオフセットとＷＵＲデューティサイクル開始時間とが含まれている、
請求項１５に記載の通信方法。
【請求項１９】
ＷＵＲ動作をサポートするために必要な第２の一組のパラメータを含むＷＵＲ動作要素を含むビーコンフレームを受信する工程を備えており、
第２の一組のパラメータには、最小ウェイクアップ持続時間、ＷＵＲチャンネル情報、及び、ＷＵＲビーコン周期が含まれている、
請求項１８に記載の通信方法。
【請求項２０】
前記第１の一組のパラメータの各々が前記第２の一組のパラメータの各々とは異なる、
請求項１９に記載の通信方法。
【国際調査報告】
2020532889.tif 000036
2020532889.tif 000037